(57)【要約】【課題】テレビ機能と拡張機能との一体感のあるインタフェースを実現する。【解決手段】本発明のデジタルテレビ（１０）は、表示部（５）と一体のタッチパネル（４）と、テレビ機能を有するテレビ信号処理装置（２）と、拡張機能を有する拡張機能実行装置（１）とを備え、テレビ信号処理装置（２）は、テレビ画面および拡張機能実行画面の少なくともいずれか１つを表示部に出力する出力制御部（６３）を有し、拡張機能実行装置（１）は、タッチ操作位置が、テレビ画面か拡張機能実行画面かを判定する入力判定部（４１）と、判定結果に応じてタッチ操作情報を処理するＵＩ処理部（４８）とを有する。【選択図】図１
2015027081.tif 000002
【特許請求の範囲】
【請求項１】
コンテンツを処理して得たコンテンツ画面を表示する表示部と一体に形成されたタッチパネルを備えた情報処理装置であって、
上記コンテンツを処理する機能に加えて当該情報処理装置に付加される、１または複数の拡張機能を実行する拡張機能実行装置と、を備え、
上記コンテンツ画面、および、上記拡張機能実行装置が拡張機能を実行した結果として出力した拡張機能実行画面の少なくともいずれか１つを、上記表示部に出力する出力制御手段を有することを特徴とする情報処理装置。
【請求項２】
上記拡張機能実行装置は、上記タッチパネルがタッチ操作されることにより入力されたタッチ操作情報を処理するＵＩ処理手段を有することを特徴とする請求項１に記載の情報処理装置。
【請求項３】
上記ＵＩ処理手段は、
上記タッチパネルがタッチ操作された位置が、上記コンテンツ画面上にあるのか、上記拡張機能実行画面上にあるのかに応じて、上記タッチ操作情報を処理することを特徴とする請求項２に記載の情報処理装置。
【請求項４】
上記拡張機能実行装置が着脱可能に構成されていることを特徴とする請求項１から３のいずれか１項に記載の情報処理装置。
【請求項５】
上記コンテンツはテレビジョン放送であることを特徴とする請求項１から４のいずれか１項に記載の情報処理装置。
【請求項６】
１または複数の拡張機能を実行する拡張機能実行装置であって、
コンテンツを処理して得たコンテンツ画面を表示する表示部と一体に形成されたタッチパネルを備えた情報処理装置に、上記コンテンツを処理する機能に加えて上記拡張機能を付加し、上記情報処理装置に、上記拡張機能を実行した結果としての拡張機能実行画面を出力するものであり、
上記タッチパネルがタッチ操作されることにより入力されたタッチ操作情報を処理するＵＩ処理手段を有することを特徴とする拡張機能実行装置。
【請求項７】
上記ＵＩ処理手段は、
上記タッチパネルがタッチ操作された位置が、上記コンテンツ画面上にあるのか、上記拡張機能実行画面上にあるのかに応じて、上記タッチ操作情報を処理することを特徴とする請求項６に記載の拡張機能実行装置。
【請求項８】
表示部と一体に形成されたタッチパネルを備えた放送受信装置であって、
テレビジョン放送信号を処理して上記表示部に出力するテレビ信号処理装置と、
上記テレビジョン放送信号を処理する機能に加えて当該放送受信装置に付加される、１または複数の拡張機能を実行する拡張機能実行装置とを備え、
上記テレビ信号処理装置は、
上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有し、
上記拡張機能実行装置は、
上記タッチパネルが検出する位置情報に基づいて、タッチ操作された位置が、上記テレビ画面上にあるのか、上記拡張機能実行画面上にあるのかを判定する入力判定手段と、
上記入力判定手段の判定結果に応じて、上記タッチパネルがタッチ操作されることにより入力されたタッチ操作情報を処理するＵＩ処理手段とを有することを特徴とする放送受信装置。
【請求項９】
上記タッチパネルおよび上記テレビ信号処理装置が接続されたコネクタを有し、該コネクタを介して、上記拡張機能実行装置が着脱可能に構成されていることを特徴とする請求項８に記載の放送受信装置。
【請求項１０】
表示部と一体に形成されたタッチパネルを備えた放送受信装置に、テレビジョン放送信号を処理する機能に加えて当該放送受信装置に付加される、１または複数の拡張機能を提供する拡張機能実行装置であって、
上記放送受信装置は、上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力するものであり、
上記拡張機能実行装置は、
上記タッチパネルが検出する位置情報に基づいて、タッチ操作された位置が、上記テレビ画面上にあるのか、上記拡張機能実行画面上にあるのかを判定する入力判定手段と、
上記入力判定手段の判定結果に応じて、上記タッチパネルがタッチ操作されることにより入力されたタッチ操作情報を処理するＵＩ処理手段とを有することを特徴とする拡張機能実行装置。
【請求項１１】
表示部と一体に形成されたタッチパネルを備えた放送受信装置であって、
テレビジョン放送信号を処理して上記表示部に出力するテレビ信号処理装置と、
上記テレビジョン放送信号を処理する機能に加えて当該放送受信装置に付加される、１または複数の拡張機能を実行する拡張機能実行装置を、上記タッチパネルおよび上記テレビ信号処理装置に接続するコネクタとを備え、
上記拡張機能実行装置は、上記タッチパネルがタッチ操作されることにより入力されたタッチ操作情報を処理するとともに、該処理の結果を反映するように上記テレビ信号処理装置に指示するものであり、
上記テレビ信号処理装置は、
上記コネクタを介して伝達された上記拡張機能実行装置からの指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有することを特徴とする放送受信装置。
【請求項１２】
表示部と一体に形成されたタッチパネルを備えた放送受信装置の制御方法であって、
上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、
上記拡張機能実行装置が、上記タッチパネルが検出する位置情報に基づいて、タッチ操作された位置が、上記テレビ信号処理装置が上記テレビジョン放送信号を処理して得た映像信号を含むテレビ画面上にあるのか、上記拡張機能実行装置が拡張機能を実行した結果として出力した拡張機能映像信号を含む拡張機能実行画面上にあるのかを判定する入力判定ステップと、
上記拡張機能実行装置が、上記入力判定ステップでの判定結果に応じて、上記タッチパネルがタッチ操作されることにより入力されたタッチ操作情報を処理するＵＩ処理ステップと、
上記テレビ信号処理装置が、上記ＵＩ処理ステップの実行結果にしたがって、上記テレビ画面、および、上記拡張機能実行画面の少なくともいずれか１つを、上記表示部に出力する出力制御ステップとを含むことを特徴とする放送受信装置の制御方法。
【発明の詳細な説明】
【技術分野】
【０００１】
本発明は、タッチパネルを有する放送受信装置、該放送受信装置に設けられた拡張機能実行装置、ならびに、該放送受信装置の制御方法に関するものである。
【背景技術】
【０００２】
近年、スマートテレビと呼ばれるデジタルテレビが普及し始めている。スマートテレビは、従来のテレビ機能（テレビジョン放送信号を受信して処理する機能など）に加えて、拡張機能、すなわち、パソコン、インターネット、通信などの高度で多様な機能を有するテレビである。
【０００３】
インターネット回線に接続されたスマートテレビがあれば、その他の複数の機器を要せずとも、ユーザは、従来のテレビ放送に加えて、様々なコンテンツを閲覧することが可能となる。例えば、自宅にいながら、有料番組提供者が提供する映画またはドラマなどをビデオオンデマンドで視聴したり、外付けＨＤＤ（Hard Disc drive）、クラウド・ストレージ、動画投稿サイト等から、一般のユーザによって生成されたコンテンツを閲覧したりすることがスマートテレビ１台で容易にできる。
【０００４】
以上のとおり、スマートテレビには、スマートフォンまたはタブレットなどと同じように、高度な双方向性および自由で多様な利用の要求に応えられる機能が備わるようになってきた。これに合わせて、スマートテレビには、スマートフォンまたはタブレットなどと同等の操作性が要求されるようになってきた。
【０００５】
スマートフォンまたはタブレットの特長としては、タッチパネルによる直観的かつ恣意的な操作が可能である点、アプリケーションをダウンロードすることによって新しい機能を容易に取り込むことができる点などが挙げられる。
【０００６】
これらのメリットをテレビに取り込ませるために、従来様々な工夫がなされてきた。
【０００７】
例えば、特許文献１には、テレビを遠隔操作する入力装置、いわゆるリモコンをタッチパネルで実現することにより、直感的に操作できる利便性を備えたデジタル放送受信装置が開示されている。
【０００８】
また、特許文献２には、スマートフォンまたはタブレットなどの携帯電話機に提供されるコンテンツを、テレビにて利用することを実現した画像表示装置が開示されている。この画像表示装置は、携帯電話機からＨＤＭＩ（登録商標）変換回路経由で映像信号を受け取る。そして、携帯電話機から受け取った映像信号と、自身が処理した放送映像信号とを、それぞれ、アプリケーションデータエリアとＴＶデータエリアとに分けて、１つの画面に混在表示させることができる。
【先行技術文献】
【特許文献】
【０００９】
【特許文献１】特開２０１０−１１４５８６号公報（２０１０年５月２０日公開）
【特許文献２】特開２０１１−２１７０９３号公報（２０１１年１０月２７日公開）
【発明の概要】
【発明が解決しようとする課題】
【００１０】
しかしながら、上記従来の構成では、以下の問題を生じる。
【００１１】
特許文献２の画像表示装置では、画面上のアプリケーションデータエリアに対する操作も、ＴＶデータエリアに対する操作も、従来のテレビのリモコンによって行うことになる。しかしながら、携帯電話機のアプリケーションに対して、タッチパネル以外の入力装置（従来のリモコンなど）で操作することは、ユーザの混乱を誘発し、操作が煩わしくなるという問題がある。
【００１２】
スマートテレビには、従来のテレビ放送を処理する制御部と、拡張機能を実現する制御部とが含まれているが、後者には、一般に、スマートフォンまたはタブレット等の携帯端末装置と同じプラットフォームが採用されている。そのため、後者の制御部が実現する機能には、入力装置としてタッチパネルを想定したものが多く、従来のリモコン操作によって利用しようとすると、特許文献２と同様に、操作が煩雑になるという問題がある。
【００１３】
また、特許文献１のように、手元のタッチパネルリモコンでテレビを操作することが考えられるが、ユーザは、手元のタッチパネルの画面と、テレビの画面との間で視線を往復させなければいけない。したがって、特許文献１の技術を採用しても、スマートフォンまたはタブレットなどと同等の操作性が実現されるとは言えず、特許文献２の画像表示装置における、混在表示のメリットも生かせない。その上、特許文献１の構成では、タッチパネルに接続されたテレビ放送を処理する制御部（ＣＰＵ、メモリなど）が、タッチパネルからの複雑な入力情報を処理することになるため、当該制御部の処理負荷が増大するという問題がある。
【００１４】
以上のことから、従来の技術では、拡張機能を併せ持つスマートテレビにおいて、従来のテレビ機能と拡張機能との一体感のあるインタフェースを提供することができない。
【００１５】
本発明は、上記の問題点に鑑みてなされたものであり、その目的は、テレビ機能と拡張機能との一体感のあるインタフェースを備えた放送受信装置、拡張機能実行装置、放送受信装置の制御方法、および、情報処理装置を提供することにある。
【課題を解決するための手段】
【００１６】
本発明の一態様に係る情報処理装置は、上記課題を解決するために、コンテンツを処理して得たコンテンツ画面を表示する表示部と一体に形成されたタッチパネルを備えた情報処理装置であって、上記コンテンツを処理する機能に加えて当該情報処理装置に付加される、１または複数の拡張機能を実行する拡張機能実行装置と、を備え、上記コンテンツ画面、および、上記拡張機能実行装置が拡張機能を実行した結果として出力した拡張機能実行画面の少なくともいずれか１つを、上記表示部に出力する出力制御手段を有する。
【００１７】
本発明の一態様に係る拡張機能実行装置は、１または複数の拡張機能を実行する拡張機能実行装置であって、コンテンツを処理して得たコンテンツ画面を表示する表示部と一体に形成されたタッチパネルを備えた情報処理装置に、上記コンテンツを処理する機能に加えて上記拡張機能を付加し、上記情報処理装置に、上記拡張機能を実行した結果としての拡張機能実行画面を出力するものであり、上記タッチパネルがタッチ操作されることにより入力されたタッチ操作情報を処理するＵＩ処理手段を有する。
【００１８】
本発明の一態様に係る放送受信装置は、表示部と一体に形成されたタッチパネルを備えた放送受信装置であって、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、上記テレビ信号処理装置は、上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有し、上記拡張機能実行装置は、上記タッチパネルが検出する位置情報に基づいて、タッチ操作された位置が、上記テレビ画面上にあるのか、上記拡張機能実行画面上にあるのかを判定する入力判定手段と、上記入力判定手段の判定結果に応じて、上記タッチパネルがタッチ操作されることにより入力されたタッチ操作情報を処理するＵＩ処理手段とを有する。
【００１９】
本発明の一態様に係る拡張機能実行装置は、表示部と一体に形成されたタッチパネルを備えた放送受信装置に、テレビジョン放送信号を処理する機能に加えて当該放送受信装置に付加される、１または複数の拡張機能を提供する拡張機能実行装置であって、上記放送受信装置は、上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力するものであり、上記拡張機能実行装置は、上記タッチパネルが検出する位置情報に基づいて、タッチ操作された位置が、上記テレビ画面上にあるのか、上記拡張機能実行画面上にあるのかを判定する入力判定手段と、上記入力判定手段の判定結果に応じて、上記タッチパネルがタッチ操作されることにより入力されたタッチ操作情報を処理するＵＩ処理手段とを有する。
【００２０】
本発明の一態様に係る放送受信装置は、表示部と一体に形成されたタッチパネルを備えた放送受信装置であって、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置を、上記タッチパネルおよび上記テレビ信号処理装置に接続するコネクタとを備え、上記拡張機能実行装置は、上記タッチパネルがタッチ操作されることにより入力されたタッチ操作情報を処理するとともに、該処理の結果を反映するように上記テレビ信号処理装置に指示するものであり、上記テレビ信号処理装置は、上記コネクタを介して伝達された上記拡張機能実行装置からの指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有する。
【００２１】
本発明の一態様に係る放送受信装置の制御方法は、表示部と一体に形成されたタッチパネルを備えた放送受信装置の制御方法であって、上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、上記拡張機能実行装置が、上記タッチパネルが検出する位置情報に基づいて、タッチ操作された位置が、上記テレビ信号処理装置が上記テレビジョン放送信号を処理して得た映像信号を含むテレビ画面上にあるのか、上記拡張機能実行装置が拡張機能を実行した結果として出力した拡張機能映像信号を含む拡張機能実行画面上にあるのかを判定する入力判定ステップと、上記拡張機能実行装置が、上記入力判定ステップでの判定結果に応じて、上記タッチパネルがタッチ操作されることにより入力されたタッチ操作情報を処理するＵＩ処理ステップと、上記テレビ信号処理装置が、上記ＵＩ処理ステップの実行結果にしたがって、上記テレビ画面、および、上記拡張機能実行画面の少なくともいずれか１つを、上記表示部に出力する出力制御ステップとを含む。
【発明の効果】
【００２２】
本発明の一態様によれば、テレビ機能（コンテンツ処理機能）と拡張機能との一体感のあるインタフェースを備えた放送受信装置等が実現できるという効果を奏する。
【図面の簡単な説明】
【００２３】
【図１】デジタルテレビ（放送受信装置）の要部構成を示す機能ブロック図である。
【図２】デジタルテレビ（放送受信装置）のハードウェア構成を示すブロック図である。
【図３】出力制御部が行う映像信号処理の一例を示す図である。
【図４】（ａ）〜（ｃ）は、表示モード情報の一具体例を示す図である。
【図５】（ａ）〜（ｃ）は、画面情報の具体例のいくつかを示す図である。
【図６】（ａ）〜（ｃ）は、イベント−指示対応情報の一具体例をテーブル形式にて示す図である。
【図７】表示部に表示される画面の具体例と、イベント発生に伴う画面遷移の例とを示す遷移図である。
【図８】拡張機能実行装置の処理の流れを示すフローチャートである。
【図９】テレビ信号処理装置の処理の流れを示すフローチャートである。
【発明を実施するための形態】
【００２４】
以下で説明する実施形態では、一例として、本発明の放送受信装置として、タッチ操作を行うユースケースで、それに適したサイズのデジタルテレビが想定されている。また、テレビ機能を有し、タッチパネルを備えている各種情報処理装置（電子黒板、タブレット端末、デスクトップパソコン、ノートパソコン、ゲーム機など）に、本発明を適用することもできる。
【００２５】
なお、以下の図面において同一または相当する部分には、同一の参照符号を付すものとし、それらの説明は重複して行なわない。また、図面における長さ、大きさおよび幅などの寸法関係ならびに形状は、図面の明瞭化と簡略化のために適宜に変更されており、実際の寸法および形状を表してはいない。
【００２６】
≪実施形態１≫
本発明の一実施形態について、図１〜図９に基づいて説明すると以下の通りである。
【００２７】
〔ハードウェア構成〕
図２は、デジタルテレビ１０（放送受信装置、情報処理装置）のハードウェア構成を示すブロック図である。
【００２８】
図２に示すとおり、デジタルテレビ１０は、拡張機能実行装置１、テレビ信号処理装置２、チューナ部３、タッチパネル４、表示部５、ＤＡＣ６、スピーカ７、および、コネクタ８を備えている。
【００２９】
タッチパネル４上で検出されたタッチ操作に係る入力信号は、拡張機能実行装置１によって取得され、拡張機能実行装置１においてその入力信号に応じた処理が実行される。その結果、テレビ信号処理装置２に対して実行させるべきことがある場合には、拡張機能実行装置１が、テレビ信号処理装置２に対して指示を伝達する。特に、テレビ信号処理装置２は、拡張機能実行装置１からの指示にしたがって、テレビ信号処理装置２がテレビジョン放送信号を処理して得られた映像信号を含むテレビ画面と、上記拡張機能実行装置１が拡張機能を実行した結果として出力した拡張機能映像信号を含む拡張機能実行画面とを合成し、両画面を混在させて表示部５に出力することが可能である。
【００３０】
すなわち、本実施形態では、テレビ信号処理装置２は、自装置が処理したテレビ画面と、拡張機能実行装置が処理した拡張機能実行画面とを合成する機能を備える構成である。また、テレビ信号処理装置２は、タッチパネル４を備えているが、入力制御を行う機能を備えず、代わりに、タッチパネル４の入力制御を行う拡張機能実行装置１による外部からの指示によって制御される構成である。
【００３１】
そして、コネクタ８を介してテレビ信号処理装置２と接続されている拡張機能実行装置１は、タッチパネル４の入力制御を行う機能と、デジタルテレビ１０に付与される拡張機能（アプリケーション）と、アプリケーションの実行結果をテレビ信号処理装置２に伝達する機能とを備える構成である。
【００３２】
拡張機能実行装置１は、デジタルテレビ１０の拡張機能を実現するものであり、例えば、拡張機能用のＯＳプログラム、および、アプリケーションプログラムなどの各種プログラムを実行するためのＣＰＵと、記憶部とを含んでいる。さらに、拡張機能実行装置１は、ＬＡＮ（Local Area Network）などのネットワークに無線または有線で接続し、インターネットを介して外部装置と通信する通信部を含む。好ましくは、拡張機能実行装置１は、上記のＣＰＵ、記憶部、通信部、および、その他必要な各種回路をＳｏＣ（System-on-a-chip）で１つのチップに実装したものとして実現される。
【００３３】
テレビ信号処理装置２は、デジタルテレビ１０のテレビ機能を実現するものである。具体的には、チューナ部３を制御して放送信号を受信して、表示部５に出力するための映像信号およびスピーカ７に出力する音声信号を処理する。
【００３４】
テレビ信号処理装置２は、テレビ機能用のＯＳプログラム等の各種プログラムを実行するためのＣＰＵと、記憶部とを含んでおり、さらに、上述の信号処理に必要な各種回路、すなわち、ストリーム分離部２１、ＨＤＭＩ分離部２２、ビデオデコーダ部２３、グラフィックス処理部２４、オーディオデコーダ部２５、スケーリング部２６、スケーリング部２７、ブレンド部２８、および、ミキシング部２９を含む。一例として、テレビ信号処理装置２は、上記のＣＰＵ、記憶部、および、各種回路をＳｏＣで１つのチップに実装したものとして実現される。
【００３５】
チューナ部３は、選局を実施し、デジタル放送波から予め指定されたチャンネルのストリームを抽出する。チューナ部３は、テレビ信号処理装置２と１つの基板上に実装されてもよいし、あるいは、テレビ信号処理装置２とは別の基板に実装されて、テレビ信号処理装置２との間で無線通信を行う構成でもよい。
【００３６】
タッチパネル４は、ユーザがデジタルテレビ１０に対して指示を入力するためのものである。タッチパネル４は、指示体（指またはペンなど）の接触（接近）を受け付けるタッチ面と、指示体とタッチ面との間の接触／非接触（接近／非接近）、および、その接触（接近）位置を検知するためのタッチセンサとで構成されている。タッチセンサは、指示体とタッチ面との接触／非接触を検知できればどのようなセンサで実現されていてもかまわない。例えば、圧力センサ、静電容量センサ、光センサなどで実現される。
【００３７】
表示部５は、拡張機能実行装置１が処理した映像信号、テレビ信号処理装置２が処理した映像信号、または、その両方を表示するものである。例えば、表示部５は、ＬＣＤ（液晶ディスプレイ）などの表示装置で実現される。
【００３８】
本実施形態では、タッチパネル４と表示部５とは一体に形成されている。そして、タッチパネル４は、コネクタ８を介して拡張機能実行装置１に結線され、タッチパネル４が操作されることで検知された接触位置等の信号は、拡張機能実行装置１に伝達される。すなわち、タッチパネル４からの入力は、拡張機能実行装置１によって実行される。一方、表示部５への出力は、テレビ信号処理装置２の出力部（スケーリング部２６、スケーリング部２７およびブレンド部２８）によって実行される。
【００３９】
ＤＡＣ（Digital-Analog Converter）６は、音声信号についてデジタル信号をアナログ信号に変更するものである。
【００４０】
スピーカ７は、ＤＡＣ６によって変換されたアナログ信号を音声として出力するものである。
【００４１】
コネクタ８は、テレビ信号処理装置２、チューナ部３、タッチパネル４、表示部５、ＤＡＣ６およびスピーカ７が設けられたデジタルテレビ１０の筐体に、拡張機能実行装置１を着脱可能に接続するためのものである。デジタルテレビ１０の筐体と拡張機能実行装置１とがコネクタ８を介して接続されることにより、テレビ信号処理装置２と拡張機能実行装置１とが通信可能となり、本発明の放送受信装置としてのデジタルテレビ１０が構成される。なお、拡張機能実行装置１を着脱可能に設ける必要がない場合には、拡張機能実行装置１は、上述の他の各部と同様にデジタルテレビ１０の筐体に設けられていればよく、この場合、コネクタ８を必要としない。
【００４２】
しかし、コネクタ８によって拡張機能実行装置１を着脱可能な構成とすることにより、性能の異なる拡張機能実行装置１に容易に差し替えることができる。すなわち、デジタルテレビ１０の拡張機能を、デジタルテレビ１０を買い替えることなく、簡単に強化することができる。拡張機能を、デジタルテレビ１０にあらかじめ組み込まれたソフトウェアで実現した場合、この拡張機能を強化するためには、デジタルテレビ１０そのものを買い替える必要がある。しかしながら、一般に、買い替えサイクルが長いデジタルテレビを、技術の進歩が目覚ましく頻繁に改良が起こる拡張機能の買い替えサイクルに合わせて、買い替えていくことはコストの観点から非現実的であり、実情にそぐわない。よって、コネクタ８によって拡張機能実行装置１を着脱可能に設けることは、コスト面で大きなメリットがある。
【００４３】
コネクタ８の構成は特に限定されるものではない。具体的には、コネクタ８が準拠する通信方式は特に限定されず、例えば、コネクタ８はデジタルテレビ１０に設置されているＵＳＢコネクタであってもよい。また、コネクタ８の位置についても特に限定されず、例えば、デジタルテレビ１０の筐体に、外部に露出して設置されたコネクタであってもよいし、テレビ信号処理装置２と同じまたは異なる基板上に形成されたコネクタであってもよい。なお、基板上にコネクタが形成されている場合、コネクタおよびコネクタに接続される拡張機能実行装置１が外部に露出しないように、基板をカバーによって覆う構成であってもよい。
【００４４】
上述したとおり、本実施形態に係るデジタルテレビ１０は、拡張機能実行装置１とテレビ信号処理装置２とが通信可能に接続されている。そして、拡張機能実行装置１とテレビ信号処理装置２との間で、さまざまな信号が必要に応じて送受信される。
【００４５】
第１に、テレビ信号処理装置２に対して実行するべきテレビ機能の実行を命令するコマンドが拡張機能実行装置１からテレビ信号処理装置２へと伝達されてもよい。テレビ機能には、これには限定されないが、放送受信機能、チャンネル切替機能、音量変更機能、電子番組表取得機能、電子番組表の表示／非表示を切り替える機能などが含まれる。
【００４６】
第２に、２系統の映像信号（拡張機能実行装置１が処理した映像信号と、テレビ信号処理装置２が処理した映像信号と）をどのように合成すべきか、または、いずれを優先させるのかの指示、すなわち、表示モードの指示が、拡張機能実行装置１からテレビ信号処理装置２へと伝達されてもよい。
【００４７】
上記コマンドおよび上記表示モードの送受信は、ＣＰＵ間通信によって行われる。該ＣＰＵ間通信は、これには限定されないが、例えば、ＴＣＰ／ＩＰ（Transmission ControlProtocol/Internet Protocol）、ＣＥＣ（Consumer Electronics Control）、または、ＵＡＲＴ（Universal Asynchronous Receiver Transmitter）およびＵＳＢ（Universal Serial Bus）等のシリアルバスによって実現される。なお、コマンドおよび表示モードの指示を、それぞれ、コマンドｄ１および表示モードｄ２とし、図１において示している。
【００４８】
第３に、拡張機能実行装置１によって処理された映像信号および音声信号の少なくとも１つは、コネクタ８およびＨＤＭＩ（High Definition Multimedia Interface）を介してテレビ信号処理装置２に伝達される。なお、拡張機能実行装置１によって処理された映像信号を、拡張機能実行画面ｄ３とし、図１において示している。
【００４９】
本実施形態では、テレビ信号処理装置２は、ＨＤＭＩを介して拡張機能実行装置１から出力された映像信号および音声信号を、自装置にて処理した映像信号および音声信号と合成して出力する機能を有する。信号処理は、上述した各種回路によって実行される。
【００５０】
より詳細には、ストリーム分離部２１は、チューナ部３から抽出されたトランスポートストリーム（ＴＳ）を、映像信号、音声信号、および、データ信号（字幕情報、または、ＢＭＬ（Broadcast Markup Language）情報など）へとストリーム分離（ＤＥＭＵＸ）する。ビデオデコーダ部２３は、分離された映像信号をデコードする。グラフィックス処理部２４は、分離されたデータ信号をグラフィックに変換する。オーディオデコーダ部２５は、分離された音声信号をデコードされる。スケーリング部２７は、指定された表示モードに合わせて映像信号のサイズ調節を実施する。スケーリングされた映像信号と、グラフィックス処理部２４によって変換されたグラフィックは、ブレンド部２８に供給される。オーディオデコーダ部２５によってデコードされた音声信号は、ミキシング部２９に供給される。以上のように、テレビ信号処理装置２の系統の信号は処理される。
【００５１】
一方、拡張機能実行装置１から出力された映像信号および音声信号を含むＨＤＭＩ信号は、まず、ＨＤＭＩ分離部２２によって受け付けられる。ＨＤＭＩ分離部２２は、ＨＤＭＩ信号を映像信号と音声信号とに分離する。スケーリング部２６は、指定された表示モードに合わせて映像信号のサイズ調節を実施する。スケーリングされた映像信号は、ブレンド部２８に供給される。分離された音声信号は、ミキシング部２９に供給される。以上のように、拡張機能実行装置１の系統の信号は処理される。
【００５２】
最後に、ブレンド部２８は、指定された表示モードに応じて各映像信号を配置して合成を行う。上記シリアルバスを介して指定された表示モードを、図示しないテレビ信号処理装置２のＣＰＵが受け付けて、その表示モードにしたがって出力部（スケーリング部２６、スケーリング部２７およびブレンド部２８）を制御する。これにより、指定された表示モードに沿った合成が実行される。
【００５３】
ミキシング部２９は、オーディオデコーダ部２５によってデコードされた音声信号、または、ＨＤＭＩ分離部２２によって分離された音声信号を、選択出力する。いずれを選択するのかについては、シリアルバスを通じて拡張機能実行装置１から指示される。
【００５４】
なお、シリアルバスを介して拡張機能実行装置１からコマンドが送信された場合には、そのコマンドにしたがって、テレビ信号処理装置２のＣＰＵが、デジタルテレビ１０の各部（例えば、チューナ部３）を制御して、上記コマンドを実行させる（例えば、チャンネルの切替）。
【００５５】
以上のとおり、本発明のデジタルテレビ１０の構成によれば、デジタルテレビ１０の表示部５に、テレビ信号処理装置２に処理した従来のテレビ放送の画面（以下、テレビ画面）と拡張機能実行装置１が処理した拡張機能の実行結果を表示する画面（以下、拡張機能実行画面）とを混在して表示させることが可能となる。そして、これら両方の画面に対する入力を、表示部５と一体に形成されたタッチパネル４を用いて実現することにより、スマートフォンまたはタブレットなどと同等に、直感的かつ恣意的操作がデジタルテレビ１０上で可能となる。結果として、２系統の画面が混在して表示されるメリットを生かし、一体感のあるユーザインターフェースを実現することが可能となる。その上、拡張機能実行装置１がタッチパネル４の入力制御を行う構成とすることにより、テレビ機能に係るテレビ信号処理装置２の処理負荷を増大させることなく、タッチパネル４を用いたユーザインターフェースを実現することができる。
【００５６】
〔デジタルテレビの機能〕
図１は、デジタルテレビ１０（放送受信装置）の要部構成を示す機能ブロック図である。より詳細には、図１には、拡張機能実行装置１の要部構成、および、テレビ信号処理装置２の要部構成がそれぞれ示されている。
【００５７】
（拡張機能実行装置１）
図１に示すとおり、拡張機能実行装置１は、拡張機能制御部４０、通信部３１および記憶部５０を含む。
【００５８】
通信部３１は、ネットワークを介して外部装置との間で情報を送受信するものである。例えば、ユーザのスケジュールを管理して、定刻にスケジュールを通知するというスケジュール管理サービスを提供するサービスサーバがインターネットに接続されているとする。通信部３１は、インターネットを介して、ユーザのスケジュールをサービスサーバに送信したり、該サービスサーバから、予め設定した時刻にスケジュールの通知を受信したりする。他の例では、通信部３１は、動画投稿サイト、または、有料番組提供サイトにアクセスして、ユーザが選択した動画をダウンロードしてもよい。
【００５９】
記憶部５０は、拡張機能実行装置１が使用する各種データを格納する記憶装置である。本実施形態では、記憶部５０は、少なくとも、表示モード情報５１、画面情報５２およびイベント−指示対応情報５３を記憶している。なお、図示しないが、記憶部５０は、拡張機能制御部４０が実行する（１）制御プログラム、（２）ＯＳプログラム、（３）拡張機能制御部４０が実行する各種拡張機能に対応するアプリケーションプログラム、および、（４）該アプリケーションプログラムを実行するときに読み出す各種データを記憶している。
【００６０】
拡張機能制御部４０は、拡張機能実行装置１の機能を統括して制御するものである。拡張機能制御部４０は、機能ブロックとして、入力判定部４１（入力判定手段）と、ダイレクトＵＩ部４２（テレビＵＩ手段）と、コマンド生成部４５（コマンド生成手段）と、表示指示部４６（指示手段）と、コントローラアプリケーション４３およびスケジュールアプリケーション４４などに代表される少なくとも１つの拡張機能部４７（拡張機能手段）とを含む。上述した拡張機能制御部４０の各機能ブロックは、例えば、ＣＰＵ（central processing unit）などが、ＲＯＭ（read only memory）、ＮＶＲＡＭ（non-Volatile random access memory）等で実現された記憶装置（記憶部５０）に記憶されているプログラムを不図示のＲＡＭ（random access memory）等に読み出して実行することで実現できる。
【００６１】
拡張機能制御部４０の各機能は、大きくは、入力判定部４１と、ＵＩ処理部４８（ＵＩ処理手段）とに分類される。前者は、タッチパネル４に対するタッチ操作によって生じた入力信号を処理して、どのようなタッチ操作が行われたのかを判定する（どのようなタッチ操作が行われたのかを示すタッチ操作情報を生成する）ものである。後者は、入力判定部４１の判定結果、すなわち、タッチ操作情報に応じた処理を実行するものである。
【００６２】
より詳細には、ＵＩ処理部４８は、ダイレクトＵＩ部４２と、１以上の拡張機能部４７（例えば、コントローラアプリケーション４３、スケジュールアプリケーション４４など）と、コマンド生成部４５と、表示指示部４６とを含む。
【００６３】
入力判定部４１は、タッチパネル４からの検出信号に基づいて、指示体のタッチ位置を特定し、拡張機能実行画面およびテレビ画面のいずれが操作されたのかを判定する。また、入力判定部４１は、タッチ位置の点の集合（指示体の移動の軌跡）を時系列で取得し、タッチ操作の種別を判定する。タッチ操作の種別としては、シングルタップ（以下、タップ）、ダブルタップ、フリック、ドラッグアンドドロップ、ピンチイン、ピンチアウトなどの例があるがこれに限らない。
【００６４】
入力判定部４１は、テレビ画面がタッチされたと判定した場合には、判定結果をダイレクトＵＩ部４２に伝達し、拡張機能実行画面がタッチされたと判定した場合には、判定結果を実行中のいずれかの拡張機能部４７に伝達する。
【００６５】
ダイレクトＵＩ（User Interface）部４２は、テレビ画面をタッチパネル４を介して直接操作するためのユーザインターフェースを実現するものである。ダイレクトＵＩ部４２は、テレビ画面に対してどのようなタッチ操作が行われたのかに応じて、デジタルテレビ１０（テレビ信号処理装置２）に実行させるテレビ機能に係る動作を決定する。デジタルテレビ１０に実行させる動作としては、具体的には、チャンネルを切り替えることなどが挙げられる。また、ダイレクトＵＩ部４２は、表示モードを、全画面表示から混在表示へ（またはその逆に）変更すること決定してもよい。ダイレクトＵＩ部４２は、タッチ操作に応じて決定した、デジタルテレビ１０の動作、および、変更すべき表示モードを、それぞれ、コマンド生成部４５、および、表示指示部４６に出力する。ダイレクトＵＩ部４２は、１つのタッチ操作に応じてデジタルテレビ１０の動作と表示モードとの両方を決定してもよいし、いずれか１つを決定してもよい。
【００６６】
これにより、ユーザは、スマートフォンなどと同様の直感的な操作によって、テレビ画面を操作して、デジタルテレビ１０のテレビ機能を利用することができる。
【００６７】
拡張機能部４７は、拡張機能実行装置１が有する各種拡張機能を実現するものである。本実施形態では、拡張機能部４７の一例として、コントローラアプリケーション４３、および、スケジュールアプリケーション４４を挙げている。
【００６８】
コントローラアプリケーション４３は、従来の赤外線テレビリモコンをソフトウェアキーで実現し、ユーザに提供するものである。コントローラアプリケーション４３は、テレビリモコンを仮想化したソフトウェアキーを拡張機能実行画面として生成する。生成された拡張機能実行画面は、デジタルテレビ１０の表示部５上に、放送映像が映っているテレビ画面とともに表示されることになる（例えば、図７の画面８２など）。また、コントローラアプリケーション４３は、ユーザのタッチ操作に応じて、デジタルテレビ１０に、表示モードを変更させることを決定したり、その他の動作（例えば、チャンネル切替）を実行させることを決定したりしてもよい。これにより、ユーザは、拡張機能実行画面に表示されたキーをタッチして、デジタルテレビ１０に対して所望のチャンネルへの切り替えを指示したり、電子番組表の表示／非表示を指示したり、音量を調節したりすることが可能となる。
【００６９】
コントローラアプリケーション４３は、タッチ操作に応じて決定した、デジタルテレビ１０の動作および変更すべき表示モードを、それぞれ、コマンド生成部４５、および、表示指示部４６に出力する。また、コントローラアプリケーション４３は、タッチ操作に応じて生成した拡張機能実行画面を表示指示部４６に出力する。コントローラアプリケーション４３は、１つのタッチ操作に応じて、デジタルテレビ１０の動作、表示モード、および、拡張機能実行画面のすべてを出力する必要はなく、必要に応じて少なくともいずれか１つを出力すればよい。
【００７０】
医療施設、介護施設、または宿泊施設など、不特定多数のユーザが１台のデジタルテレビ１０を利用するようなユースシーン、あるいは、施設の個室に設置されたデジタルテレビ１０など、ユーザが時期によって次々に入れ替わるユースシーンでは、デジタルテレビ１０の筐体と別に小型の機器（リモコン）が設けられることは紛失などの可能性が高まり不都合がある。そのため、テレビ画面とともに、仮想のコントローラを拡張機能実行画面上で提供することは、そうした不都合を解消できるため有意義である。また、スマートフォンなどのタッチパネル操作に慣れていないユーザにとっては、仮想のテレビコントローラによって、従来のリモコン操作と同じように、デジタルテレビ１０を操作できることは有意義である。
【００７１】
スケジュールアプリケーション４４は、ユーザのスケジュールを管理する機能をユーザに提供するものである。スケジュールアプリケーション４４は、あらかじめ登録されたスケジュールを定刻にユーザに通知する。スケジュールアプリケーション４４は、登録された時刻になると、その時刻に実施すべきスケジュールを通知する画面を拡張機能実行画面として生成する。スケジュールアプリケーション４４は、デジタルテレビ１０が、定刻直前までどのような動作状態であっても、どの表示モードであっても、優先して、上記拡張機能実行画面が表示されるように、テレビの動作を決定することが好ましい。これにより、ユーザに対して、確実に、スケジュールを通知することが可能となる。例えば、スケジュールアプリケーション４４が、患者の薬の服用スケジュールを管理するためのアプリケーションである場合、服用すべき薬の種類、服用すべき量などを、服用時刻に合わせて通知することができる。あるいは、宿泊施設などにおいて、スケジュールアプリケーション４４は、宿泊客のスケジュールを管理するアプリケーションとして利用することができる。この場合スケジュールアプリケーション４４は、起床時刻、または、チェックアウト時刻などを通知することができる。
【００７２】
スケジュールアプリケーション４４は、登録された時刻になったことを示すイベントを検知すると、変更すべき表示モード、および、スケジュールを通知するために生成した拡張機能実行画面を表示指示部４６に出力する。なお、ユーザのスケジュールに関する登録情報は、拡張機能実行装置１内で管理されてもよいし、インターネットを介して接続された外部のサービスサーバで管理されてもよい。
【００７３】
前者の場合、スケジュールアプリケーション４４は、拡張機能実行装置１に設けられた図示しないタイマによって、上記イベントを検知する。後者の場合、スケジュールアプリケーション４４は、定刻に通信部３１が上記サービスサーバよりスケジュールの通知を受信したことにより、上記イベントを検知する。
【００７４】
さらに、好ましくは、スケジュールアプリケーション４４は、通知したスケジュールをユーザに確実に実施させるために、ユーザがスケジュールを実施した旨をタッチパネル４に対して入力しないかぎり、直前まで実行されていた各アプリケーションが実行されないようにロックすることができる。
【００７５】
例えば、スケジュールアプリケーション４４は、拡張機能実行画面内に「実施済」ボタンを設ける。そして、拡張機能実行画面が表示されてから当該ボタンがタップされるまでの間、直前まで実行されていたアプリケーションの画面に対するタッチ操作を不可能にする。
【００７６】
より具体的には、スケジュールアプリケーション４４は、直前に、ダイレクトＵＩ部４２が実行中であり、テレビ画面が表示部５に表示されている場合には、テレビ画面に対するタッチ操作が行われても、それを受け付けないようにダイレクトＵＩ部４２に対して指示する。あるいは、直前に、コントローラアプリケーション４３が実行中であり、コントローラのソフトウェアキーが拡張機能実行画面として表示されている場合には、それを、スケジュールの通知画面に差し替えるように、拡張機能実行画面を表示指示部４６を介してテレビ信号処理装置２に出力する。
【００７７】
「実施済」ボタンがタップされたことが検知されると、スケジュールアプリケーション４４は、直前の表示状態に復帰するように、ロックしたアプリケーションに対して、復帰を指示する。
【００７８】
ダイレクトＵＩ部４２および１以上の拡張機能部４７は、記憶部５０に記憶されているアプリケーションプログラムが読み出されることにより実現される。拡張機能部４７は、通信部３１を介してアプリケーションプログラムがダウンロードされるなどして、新たに追加されてもよい（アプリケーションＸ、アプリケーションＹ、・・・など）。
【００７９】
コマンド生成部４５は、各アプリケーションによって決定されたデジタルテレビ１０の動作をテレビ信号処理装置２に実行させるために、当該動作を命じる命令文を、テレビ信号処理装置２が解釈可能なコマンドとして生成するものである。コマンド生成部４５が生成したコマンドは、表示指示部４６を介して、テレビ信号処理装置２に伝達される。
【００８０】
表示指示部４６は、テレビ信号処理装置２に対して指示を伝達するものである。表示指示部４６は、コマンド生成部４５によってコマンドが生成された場合には、そのコマンドをＣＰＵ間通信のためのシリアルバスを介してテレビ信号処理装置２に出力する。表示指示部４６は、各アプリケーションによって、表示モードが決定された場合には、その表示モードを上記シリアルバスを介してテレビ信号処理装置２に出力する。表示指示部４６は、各アプリケーションによって、拡張機能実行画面が生成された場合には、当該画面（の映像信号）をＨＤＭＩを介してテレビ信号処理装置２に出力する。図１の例では、ＨＤＭＩを介して映像信号を出力しているが、表示指示部４６は、必要に応じて各アプリケーションが音声信号を処理した場合には、音声信号をＨＤＭＩを介してテレビ信号処理装置２に出力してもよい。
【００８１】
（テレビ信号処理装置２）
図１に示すとおり、テレビ信号処理装置２は、タッチパネル４、表示部５、テレビ信号処理制御部６０および記憶部７０を含む。
【００８２】
記憶部７０は、テレビ信号処理装置２が使用する各種データを格納する記憶装置である。本実施形態では、記憶部７０は、少なくとも、表示モード情報７１を記憶している。なお、図示しないが、記憶部７０は、テレビ信号処理制御部６０が実行する（１）制御プログラム、（２）ＯＳプログラム、（３）テレビ信号処理制御部６０が実行する各種テレビ機能に対応するアプリケーションプログラム、および、（４）該アプリケーションプログラムを実行するときに読み出す各種データを記憶している。
【００８３】
テレビ信号処理制御部６０は、テレビ信号処理装置２の機能を統括して制御するものである。テレビ信号処理制御部６０は、機能ブロックとして、指示解析部６１、コマンド実行部６２、および、出力制御部６３（出力制御手段）を含む。上述したテレビ信号処理制御部６０の各機能ブロックは、例えば、ＣＰＵ（central processing unit）などが、ＲＯＭ（read only memory）、ＮＶＲＡＭ（non-Volatile random access memory）等で実現された記憶装置（記憶部７０）に記憶されているプログラムを不図示のＲＡＭ（random access memory）等に読み出して実行することで実現できる。
【００８４】
指示解析部６１は、拡張機能実行装置１から伝達された指示を解析して、解析した指示の内容を、その指示に関わる各部に伝達するものである。具体的には、表示指示部４６からコマンドを受信した場合には、指示解析部６１は、そのコマンドをコマンド実行部６２が読み取り可能状態に展開して供給する。表示指示部４６から表示モードを受信した場合には、指示解析部６１は、その表示モードを出力制御部６３に供給する。
【００８５】
コマンド実行部６２は、表示指示部４６から伝達されたコマンドにしたがってテレビ機能を実行するものである。コマンド実行部６２は、コマンドの実行結果を、場合によって、出力制御部６３に伝達したり、図示しない他のコマンド実行部に伝達したりする。
【００８６】
コマンド実行部６２の具体例としては選局部が挙げられる。選局部は、チューナ部３を制御して、チャンネル切替機能を実行するものである。選局部がチャンネルを切り替えることによって新たに得られた映像信号は、既述のとおり、図２に示された信号処理のための各種回路によって処理されて、出力制御部６３が制御するスケーリング部２７およびブレンド部２８に供給される。
【００８７】
出力制御部６３は、映像信号を処理して表示部５に出力するものである。具体的には、テレビ信号処理装置２の出力部、すなわち、スケーリング部２６、スケーリング部２７、および、ブレンド部２８を制御して、映像信号の拡縮、合成および表示部５への出力を実現する。
【００８８】
図３は、出力制御部６３が行う映像信号処理の一例を示す図である。例えば、スケーリング部２７には、ビデオデコーダ部２３によって処理された、放送番組のテレビ画面Ｂの映像信号が入力されたとする。一方、スケーリング部２６には、拡張機能実行装置１から供給された拡張機能実行画面Ａが入力されたとする。そして、拡張機能実行装置１が、これらの２つの画面を混在表示する表示モードを指示したとする。
【００８９】
この場合、出力制御部６３は、拡張機能実行画面Ａとテレビ画面Ｂとを混在表示させるために、スケーリング部２７を制御して、テレビ画面Ｂが、あらかじめ定められたテレビ画面用の領域に収まるように、必要な縮小処理を実行する。出力制御部６３は、必要に応じて、スケーリング部２６を制御して、拡張機能実行画面Ａが所定の領域に収まるように縮小してもよい。そして、出力制御部６３は、ブレンド部２８を制御して、拡縮処理後のテレビ画面Ｂおよび拡張機能実行画面Ａを合成し、混在表示モードにしたがった混在画面を作成する。
【００９０】
上記構成によれば、テレビ信号処理装置２は、コマンドｄ１、表示モードｄ２、および、拡張機能実行画面ｄ３の少なくともいずれか１つを受信したことにしたがって、拡張機能実行装置１の指示に応じたテレビ機能を実現することができる。具体的には、コマンドｄ１にしたがって、コマンド実行部６２がコマンドを実行したり、表示モードｄ２にしたがって、出力制御部６３が表示モードを変更したり、出力制御部６３が、拡張機能実行画面ｄ３を表示部５に出力したりする。
【００９１】
これにより、タッチパネル４を介して拡張機能実行装置１が受け付けたユーザ操作に対して、拡張機能実行装置１が応答して結果をテレビ信号処理装置２の表示部５に反映することができるとともに、テレビ信号処理装置２に応答させることも可能となる。結果として、２系統の画面が混在して表示されるメリットを生かし、一体感のあるユーザインターフェースを実現することが可能となる。その上、拡張機能実行装置１がタッチパネル４の入力制御を行う構成とすることにより、テレビ信号処理装置２の処理負荷を増大させることなく、タッチパネル４を用いて直感的かつ恣意的操作が可能なユーザインターフェースをデジタルテレビ１０上で実現することができる。
【００９２】
〔表示モード情報〕
本実施形態では、混在表示モード、および、その他の表示モードにおいて、それぞれ、テレビ画面Ｂおよび拡張機能実行画面Ａをそれぞれどのようなサイズでどの位置に配置するのかについては、あらかじめ定義されている。この表示モードの情報は、表示モード情報７１として、記憶部７０に記憶されており、出力制御部６３によって参照される。本実施形態では、拡張機能実行装置１の拡張機能制御部４０と、テレビ信号処理制御部６０とは、シリアルバスを介して通信し、共通の表示モード情報を、それぞれ表示モード情報５１および表示モード情報７１として記憶部５０および記憶部７０に記憶しておく構成である。このため、拡張機能実行装置１が指示した表示モードと、テレビ信号処理装置２が指示された表示モードに基づいて実際に表示した結果との間に齟齬が生じない。
【００９３】
図４の（ａ）〜（ｃ）は、表示モード情報５１（７１）の一具体例を示す図である。
【００９４】
図４の（ａ）は、拡張機能実行画面を、表示部５の全画面に表示するモード（以下、拡張機能実行画面全表示モード）のレイアウトを定義する表示モード情報を示す。図４の（ｂ）は、テレビ画面を、表示部５の全画面に表示するモード（以下、テレビ画面全表示モード）のレイアウトを定義する表示モード情報を示す。図４の（ｃ）は、拡張機能実行画面と、テレビ画面とを混在表示するモード（以下、混在画面表示モード）のレイアウトを定義する表示モード情報を示す。混在画面表示モードの表示モード情報には、拡張機能実行画面とテレビ画面との境界位置Ｌ１を定義する情報が、少なくとも含まれる。
【００９５】
表示モード情報５１（７１）の例は、図４の（ａ）〜（ｃ）の３つに限定されない。特に、混在画面表示モードには、さらに、複数パターン定義されていてもよい。例えば、境界位置Ｌ１が異なる位置にあるパターン、境界位置Ｌ１が表示部５の表示画面を上下に分割する位置にあるパターン、拡張機能実行画面がテレビ画面の右下に重畳されるパターンなどがあってもよい。
【００９６】
各々の表示モードには、例えば、ユニークな識別子が付与されており、拡張機能実行装置１は、１つの表示モードを指す識別子をテレビ信号処理装置２に伝達することにより、実行するべき表示モードをテレビ信号処理装置２に対して指定することができる。
【００９７】
テレビ信号処理装置２（および、拡張機能実行装置１）に学習させる表示モードを、ユーザが、設定したり、編集したりできる構成であってもよい。例えば、テレビ信号処理装置２は、表示モードを設定するための入力画面を表示部５に表示して、タッチパネル４を用いて境界位置Ｌ１の位置をユーザに任意に選択させてもよい。ユーザが選択した境界位置Ｌ１の情報は、拡張機能制御部４０によって受け付けられて、表示モード情報５１に追加されるとともに、表示指示部４６を介して、テレビ信号処理装置２に伝達される。テレビ信号処理制御部６０は、受信した境界位置Ｌ１の情報を、表示モード情報７１に追加する。このように、ユーザは、１回の設定で、表示モード情報を、拡張機能実行装置１とテレビ信号処理装置２とのそれぞれに学習させることができる。
【００９８】
〔画面情報〕
図５の（ａ）〜（ｃ）は、画面情報５２の具体例のいくつかを示す図である。
【００９９】
画面情報５２は、テレビ信号処理装置２が表示部５に表示している画面のレイアウトを示す情報である。画面情報５２は、少なくとも、表示部５に出力されている最新のレイアウト情報を含む。本実施形態では、画面情報５２は、さらに、当該最新のレイアウトの１つ前のレイアウト情報を含んでいてもよい。これにより、拡張機能実行装置１の各部は、１つ前の表示状態にテレビ信号処理装置２を復帰させたい場合に、どのような指示をテレビ信号処理装置２に伝達するべきかを特定することが可能となる。
【０１００】
最新のレイアウト情報を含む画面情報５２は、入力判定部４１によって、主にどの画面がタッチ操作されたのかを判定するために参照される。
【０１０１】
表示指示部４６は、テレビ信号処理装置２に対して指示した内容に基づいて、表示部５に表示されることになる最新のレイアウト情報を画面情報５２として記憶部５０に保存する。本実施形態では、表示指示部４６は、その１つの前のレイアウト情報を消去せずに、最新のものと併せて画面情報５２として記憶部５０に記憶する。
【０１０２】
画面情報５２は、特に限定されないが、図５の（ａ）、（ｂ）および（ｃ）のいずれのデータ構造で構成されてもよい。図５の（ａ）に示す例では、画面情報５２は、現在表示されている拡張機能実行画面およびテレビ画面それぞれの位置を含んでいる。この最新の画面情報５２を参照することにより、入力判定部４１は、検知されたタッチ位置の座標に基づいて、テレビ画面および拡張機能実行画面のいずれの領域が操作されたのかを判定することができる。
【０１０３】
図５の（ｂ）に示す例では、現在表示されている拡張機能実行画面およびテレビ画面のそれぞれの位置をカバーする疑似オブジェクトを画面情報５２に定義している。入力判定部４１は、検知されたタッチ位置の座標が、オブジェクト１およびオブジェクト２のいずれに含まれるのかに応じて、テレビ画面および拡張機能実行画面のいずれの領域が操作されたのかを判定することができる。図５の（ｂ）に示す例では、オブジェクト１がタッチされると拡張機能実行画面が操作されたと判定し、オブジェクト２がタッチされるとテレビ画面が操作されたと判定する。
【０１０４】
図５の（ｃ）に示す例では、画面情報５２は、実行中のアプリケーションが拡張機能実行画面上に配置した、タッチ操作可能なオブジェクトごとに位置情報を保持している。図５の（ｃ）に示す最新の画面情報５２を参照することにより、入力判定部４１は、いずれの領域が操作されたのかを判定することができるとともに、どのオブジェクトがタッチされたのかも判定することができる。
【０１０５】
〔イベント−指示対応情報〕
図６の（ａ）〜（ｃ）は、イベント−指示対応情報５３の一具体例をテーブル形式にて示す図である。なお、図６の（ａ）〜（ｃ）において、イベント−指示対応情報５３をテーブル形式のデータ構造にて示したことは一例であって、データ構造を限定する意図はない。イベント−指示対応情報５３は、拡張機能実行装置１においてイベントが発生したときに、実行中のアプリケーションが、そのイベントに応じて、デジタルテレビ１０に実行させる内容を決定するために参照される。したがって、イベント−指示対応情報５３において、想定されるイベントと、そのときにデジタルテレビ１０に実行させる内容とが対応付けられている。なお、図６の（ａ）は、ダイレクトＵＩ部４２が参照するイベント−指示対応情報５３の一例を示す。図６の（ｂ）は、コントローラアプリケーション４３が参照するイベント−指示対応情報５３の一例を示す。図６の（ｃ）は、スケジュールアプリケーション４４が参照するイベント−指示対応情報５３の一例を示す。各アプリケーションは、各々のテーブルを参照することにより、どのイベントが発生した場合に、テレビに何をさせるのかを決定することができる。
【０１０６】
図６の（ａ）において、タッチパネル４上のテレビ画面へのタッチ操作がイベントとして想定されており、各イベントは、タッチ操作された領域と、タッチ操作の種別と、場合よってはその時の表示モードとによって特定される。デジタルテレビ１０に実行させる内容は、「動作」および「表示モード」の少なくとも１つを含む。ダイレクトＵＩ部４２は、このテーブルを参照して、どの表示モードのときに、テレビ画面にどのタッチ操作がなされたのかに応じて、デジタルテレビ１０に実行させる動作および変更すべき表示モードの少なくとも１つを決定することができる。
【０１０７】
図６の（ｂ）において、拡張機能実行画面へのタッチ操作がイベントとして想定されており、各イベントは、タッチ操作された領域および領域内のオブジェクトと、場合によってはタッチ操作の種別とによって特定される。デジタルテレビ１０に実行させる内容は、「動作」および「表示モード」の少なくとも１つを含む。コントローラアプリケーション４３は、拡張機能実行画面として表示したソフトウェアキー（オブジェクト）の内、どのキーがタッチされたのかに応じて、デジタルテレビ１０に実行させる動作および変更すべき表示モードの少なくとも１つを決定することができる。
【０１０８】
図６の（ｃ）において、外部処理、および、拡張機能実行画面へのタッチ操作がイベントして想定されている。外部処理は、例えば、タイマが定刻を検知したこと、通信部３１が外部装置から何らかの情報を受信したこと、などを含む。タッチ操作のイベントは、タッチ操作された領域および領域内のオブジェクトと、場合によってはタッチ操作の種別とによって特定される。デジタルテレビ１０に実行させる内容は、「動作」および「表示モード」の少なくとも１つを含む。スケジュールアプリケーション４４は、発生したイベントに応じて、デジタルテレビ１０に実行させる動作および変更すべき表示モードの少なくとも１つを決定することができる。
【０１０９】
なお、図６の各テーブルは、イベントの発生をトリガにして、各アプリケーションが処理を実行した場合に、それに伴って、デジタルテレビ１０に当該処理の結果を反映させる必要がある場合のアプリケーションの処理を記載している。よって、図６の各テーブルは、アプリケーションが実行することのすべて網羅しているわけではない。アプリケーションは、イベントの発生をトリガにして、テーブルに記載されていない処理、つまり、拡張機能実行装置が実行すべき処理を併せて実行してもよい。例えば、拡張機能実行画面を新たに生成する処理、あるいは、他のアプリケーションの動作を制限する処理などである。
【０１１０】
より具体的には、ダイレクトＵＩ部４２は、イベント１が発生した場合、コントローラキーの拡張機能実行画面を生成するコントローラアプリケーション４３を起動することができる。この場合、ダイレクトＵＩ部４２が、混在画面表示モードを表示指示部４６に出力する一方、コントローラアプリケーション４３が、コントローラキーの拡張機能実行画面を表示指示部４６に出力する。
【０１１１】
他の例では、スケジュールアプリケーション４４は、イベント８またはイベント９が発生した場合、これまでの最新の画面情報を、直前の画面情報として記憶部５０に記憶し、後で参照できるようにしておく。そして、スケジュールアプリケーション４４は、スケジュール通知画面としての拡張機能実行画面を表示指示部４６に出力する。スケジュールアプリケーション４４は、上記通知画面を表示部５に表示させてから、該通知画面に含まれる「実施済」ボタンがタップされるまでの間、ダイレクトＵＩ部４２の機能をロックすることができる。この間、ダイレクトＵＩ部４２は、テレビ画面上に対して何らかのタッチ操作が行われても、テレビに実行させる内容を決定せず、表示指示部４６に対して何も出力しない。その後、イベント１０が発生したら、スケジュールアプリケーション４４は、記憶しておいた、直前の画面情報に復帰することを決定する。具体的には、直前のデジタルテレビ１０の動作に戻すこと、直前の表示モードに戻すこと、直前に、他のアプリケーションが処理を実行していた場合には、当該他のアプリケーションの拡張機能実行画面に戻すことを決定する。スケジュールアプリケーション４４は、直前のコマンドと表示モードとを表示指示部４６に出力するとともに、ダイレクトＵＩ部４２に対するロックを解除する。直前に、実行中の他のアプリケーションがあれば、当該アプリケーションに対して処理の再開を指示する。これにより、表示指示部４６から伝達された、コマンド、表示モード、および、拡張機能実行画面の少なくともいずれか１つにしたがって、テレビ信号処理装置２は、「実施済」ボタンがタップされた後に、直前の状態に復帰することができる。
【０１１２】
〔画面例〕
図７は、表示部５に表示される画面の具体例と、イベント発生に伴う画面遷移の例とを示す遷移図である。
【０１１３】
画面８０は、デジタルテレビ１０を起動したときに最初に表示されるホーム画面である。ホーム画面は、拡張機能実行装置１によって生成され、テレビ信号処理装置２によって、拡張機能実行画面全表示モードにて表示される。
【０１１４】
画面８０は、拡張機能実行装置１が実行可能な各アプリケーションのボタン（アイコン）を含む。「ＴＶ」ボタンがタップされた場合、入力判定部４１から「ＴＶ」ボタンがタップされたことがダイレクトＵＩ部４２に通知される。ダイレクトＵＩ部４２は、最初に起動されたときには、まず、テレビ画面全表示モードにて、現在選局中のチャンネル（例えば、Ｃｈ１）の放送映像を表示することを決定する。これに対応するコマンドと表示モードとが表示指示部４６から指示解析部６１へ通知されると、出力制御部６３が画面８１を表示部５に表示する。なお、画面８０において、「コントローラ」ボタンがタップされた場合には、ダイレクトＵＩ部４２とともにコントローラアプリケーション４３が起動されて、テレビ信号処理装置２は、画面８１を介さずに、画面８２を表示してもよい。
【０１１５】
画面８１の状態でテレビ画面がタップされた場合（図６の（ａ）のイベント１）、ダイレクトＵＩ部４２によって表示モードが決定され、コントローラアプリケーション４３によって、拡張機能実行画面が生成される。これらの指定された表示モードおよび拡張機能実行画面にしたがって、出力制御部６３は、画面８２を表示する。画面８３から画面８４へと遷移するときも同様である。
【０１１６】
画面８２（または画面８４）で「パネル閉じる」ボタンがタップされた場合（図６の（ａ）のイベント５）、ダイレクトＵＩ部４２によって表示モードが決定される。これにしたがって、出力制御部６３は、画面８１（または画面８３）を表示する。なお、画面８２（画面８４）で、テレビ画面がタップされた場合にも（図６の（ａ）のイベント４）、出力制御部６３は、画面８１（または画面８３）を表示する。「ホームに戻る」ボタンがタップされた場合（図６の（ａ）のイベント６）、コントローラアプリケーション４３によって表示モードが決定され、拡張機能制御部４０によってホーム画面の情報が記憶部５０から読み出される。これにしたがって、出力制御部６３は、画面８０を表示する。
【０１１７】
テレビ画面に対して、２種類の方向を区別して指示できるタッチ操作、例えば、左フリック（右から左へ指を払う操作）または右フリック（右から左へ指を払う操作）が行われた場合、それぞれの方向に対応して、チャンネルが昇順または降順で切り替えられる。
【０１１８】
具体的には、画面８１（または画面８２）で、テレビ画面に対して左フリックが行われた場合（図６の（ａ）のイベント２）、ダイレクトＵＩ部４２は、デジタルテレビ１０に実行させる動作（現在選局中のチャンネルの次のチャンネルに切り替える動作）を決定する。この動作を命令するコマンドがコマンド生成部４５によって生成され、表示指示部４６および指示解析部６１を介してコマンド実行部６２（選局部）に伝達される。選局部は、コマンドにしたがって１ｃｈを２ｃｈに切り替える。これにより、出力制御部６３は、画面８３（または画面８４）を表示する。ここでは、表示モードは変更されない。
【０１１９】
反対に、画面８３（または画面８４）で、テレビ画面に対して右フリックが行われた場合（図６の（ａ）のイベント３）、ダイレクトＵＩ部４２は、デジタルテレビ１０に実行させる動作（現在選局中のチャンネルの前のチャンネルに切り替える動作）を決定する。選局部は、上記動作を命令するコマンドにしたがって２ｃｈを１ｃｈに切り替える。出力制御部６３は、画面８１（または画面８２）を表示する。ここでは、表示モードは変更されない。
【０１２０】
画面８２で、拡張機能実行画面の数字ボタンがタップされた場合（図６の（ａ）のイベント７）、コントローラアプリケーション４３は、デジタルテレビ１０に実行させる動作（タップされた数字のチャンネルに切り替える動作）を決定する。例えば、「２」のボタンがタップされた場合には、２ｃｈに切り替える動作が決定される。選局部は、上記動作を命令するコマンドにしたがって、２ｃｈに切り替える。出力制御部６３は、表示部５の表示を画面８２から画面８４に変更する。ここでは、表示モードは変更されない。なお、画面８４で、「１」のボタンがタップされた場合には、選局部は、コントローラアプリケーション４３の決定にしたがって、１ｃｈに切り替える。出力制御部６３は、表示部５の表示を画面８４から画面８２に表示を変更する。
【０１２１】
例えば、画面８３（または画面８４）の表示状態のときに、外部イベントが発生した場合（図６の（ａ）のイベント８または９）、スケジュールアプリケーション４４は、その時刻に通知すべきスケジュールの通知画面を拡張機能実行画面として生成する。そして、この拡張機能実行画面が表示されるように、表示モードを決定する。出力制御部６３は、決定された表示モードに基づいて、受け取った上記拡張機能実行画面を、テレビ画面を併せて混在表示する。すなわち、画面８５（または画面８６）を表示する。画面８４は元々混在画面表示モードであったので、画面８４から画面８６に遷移するとき、結果的には、表示モードは変わらない。上述したとおり、スケジュールアプリケーション４４は、画面８５（または画面８６）が表示されている間、「実施済」ボタンがタップされるまで、ダイレクトＵＩ部４２の機能をロックする。したがって、ユーザが、画面８５（または画面８６）のテレビ画面に対してどのようなタッチ操作を行っても、出力制御部６３は、画面８５（または画面８６）の表示を維持する。
【０１２２】
画面８５（または画面８６）の、拡張機能実行画面に含まれる「実施済」ボタンがタップされると（図６の（ａ）のイベント１０）、スケジュールアプリケーション４４は、直前の表示状態に復帰することを決定する。図７の例では、画面８５（または画面８６）の直前の画面は、画面８３（または画面８４）であり、画面８３（または画面８４）の情報が、直前の画面情報として記憶部５０に保存されている。
【０１２３】
画面８５の「実施済」ボタンがタップされた場合、スケジュールアプリケーション４４は、画面８３に復帰させるために、テレビ画面全表示モードを指定する。出力制御部６３は、指定された表示モードにしたがって、画面８３を表示する。一方、画面８６の「実施済」ボタンがタップされた場合、スケジュールアプリケーション４４は、画面８４に復帰させるために、コントローラアプリケーション４３の実行再開を指示する。コントローラアプリケーション４３は、コントローラキーの拡張機能実行画面を生成して、表示指示部４６を介して出力制御部６３に供給する。出力制御部６３は、画面８４を表示する。テレビ信号処理装置２が、画面８３（または画面８４）に復帰すると、スケジュールアプリケーション４４は、ダイレクトＵＩ部４２のロックを解除する。
【０１２４】
〔拡張機能実行装置１の処理フロー〕
図８は、デジタルテレビ１０、特に、拡張機能実行装置１の処理の流れを示すフローチャートである。
【０１２５】
タッチパネル４に対してタッチ操作が行われると（Ｓ１０１においてＹＥＳ）、入力判定部４１は、タッチパネル４によって検知されたタッチ位置に基づいて、タッチ操作が、拡張機能実行画面に対して行われたものか、テレビ画面に対して行われたものかを判定する（Ｓ１０２およびＳ１０３）。
【０１２６】
タッチ操作が拡張機能実行画面に対して行われたと判定した場合（Ｓ１０２においてＹＥＳ）、入力判定部４１は、上記拡張機能実行画面を生成した拡張機能部４７（例えば、コントローラアプリケーション４３またはスケジュールアプリケーション４４など）にタッチ操作情報を伝達する（Ｓ１０４）。タッチ操作情報は、タッチ位置の座標情報、タッチされたオブジェクトを特定する情報、および、タッチ操作の種別のすべてを含んでいてもよいし、一部を含んでいてもよい。
【０１２７】
拡張機能部４７（アプリケーション）は、受け付けたタッチ操作情報に基づいて、所定の拡張機能を実行する（Ｓ１０５）。具体的には、デジタルテレビ１０（テレビ信号処理装置２）に実行させる動作を決定すること、表示モードを決定すること、および、拡張機能実行画面を生成することのうち、少なくとも１つを実行する。なお、各拡張機能部４７は、他の拡張機能部４７から実行の制限を受けている場合には、そのロックが解除されるまでは、上記タッチ操作情報を受け付けても、拡張機能を実行しない、あるいは、決定した動作、表示モードおよび拡張機能実行画面のいずれも出力しない構成であることが好ましい。
【０１２８】
一方、タッチ操作がテレビ画面に対して行われたと判定した場合（Ｓ１０２においてＮＯ、Ｓ１０３においてＹＥＳ）、入力判定部４１は、ダイレクトＵＩ部４２に上記タッチ操作情報を伝達する（Ｓ１０６）。
【０１２９】
ダイレクトＵＩ部４２は、受け付けたタッチ操作情報に基づいて、ダイレクトＵＩ処理を実行する（Ｓ１０７）。ここで、ダイレクトＵＩ部４２は、タッチ操作が行われたときの表示モードとタッチ操作の種別とに基づいて、テレビ信号処理装置２に実行させる動作および変更すべき表示モードの少なくとも１つを決定する。
【０１３０】
供給されたタッチ操作情報に基づいてＳ１０５またはＳ１０７を実行したアプリケーションは、実行結果を、必要に応じて下流の各部に伝達する（Ｓ１０８）。例えば、ダイレクトＵＩ部４２、コントローラアプリケーション４３およびスケジュールアプリケーション４４は、テレビ信号処理装置２に実行させる動作を決定した場合には、決定した動作をコマンド生成部４５に伝達する。変更すべき表示モードを決定した場合には、決定した表示モードを表示指示部４６に伝達する。コントローラアプリケーション４３およびスケジュールアプリケーション４４は、拡張機能実行画面を新たに生成した場合には、生成した画面を表示指示部４６に伝達する。
【０１３１】
続いて、コマンド生成部４５は、いずれかのアプリケーションから伝達された動作の実行をテレビ信号処理装置２に対して命じるための命令文を、テレビ信号処理装置２が理解可能なコマンドとして生成する（Ｓ１０９）。表示指示部４６は、生成されたコマンドをシリアルバスを介してテレビ信号処理装置２に伝達する（Ｓ１１０）。なお、アプリケーションによって動作が決定されなかった場合、Ｓ１０９およびＳ１１０の各ステップは省略される。
【０１３２】
また、表示指示部４６は、いずれかのアプリケーションから伝達された表示モードをシリアルバスを介してテレビ信号処理装置２に伝達する（Ｓ１１１）。なお、アプリケーションによって表示モードが指定されなかった場合、Ｓ１１１のステップは省略される。
【０１３３】
また、表示指示部４６は、拡張機能部４７のいずれかのアプリケーションによって生成された拡張機能実行画面をＨＤＭＩを介してテレビ信号処理装置２に伝達する（Ｓ１１２）。なお、アプリケーションによって拡張機能実行画面が生成されなかった場合、Ｓ１１２のステップは省略される。
【０１３４】
Ｓ１０９およびＳ１１０と、Ｓ１１１と、Ｓ１１２とは、図示された順序に限定されず、互いに順序を入れ替えて実施されてもよい。
【０１３５】
〔テレビ信号処理装置２の処理フロー〕
図９は、デジタルテレビ１０、特に、テレビ信号処理装置２の処理の流れを示すフローチャートである。
【０１３６】
指示解析部６１が、拡張機能実行装置１からコマンドを受信した場合には（Ｓ２０１においてＹＥＳ）、コマンドは、指示解析部６１から、そのコマンドを実行する主体（選局部などのコマンド実行部６２）に伝達される。コマンド実行部６２は、上記コマンドを実行し、その結果を下流に出力する（Ｓ２０２）。例えば、選局部が、コマンドにしたがって新たなチャンネルを選局すると、そのチャンネルの映像信号は、当該映像信号を処理する各種回路を実行する制御部、そして、最終的に、出力制御部６３へと供給される。この場合、出力制御部６３は、新たなチャンネルの放送番組の映像を、表示部５のテレビ画面の領域に表示する。
【０１３７】
指示解析部６１が、拡張機能実行装置１から表示モードを受信した場合には（Ｓ２０３においてＹＥＳ）、表示モードは、指示解析部６１から出力制御部６３に伝達される。出力制御部６３は、スケーリング部２６、スケーリング部２７およびブレンド部２８を制御して、指定された表示モードにしたがって、テレビ画面および拡張機能実行画面のレイアウトを変更する（Ｓ２０４）。
【０１３８】
出力制御部６３が、ＨＤＭＩ分離部２２を介して、拡張機能実行装置１から拡張機能実行画面を受信した場合には（Ｓ２０５においてＹＥＳ）、まず、出力制御部６３は、スケーリング部２６およびブレンド部２８を制御して、受信した拡張機能実行画面を、テレビ画面と合成する（Ｓ２０６）。
【０１３９】
最後に、出力制御部６３は、所定の表示モードにしたがって、拡張機能実行画面およびテレビ画面の少なくともいずれか１つを表示部５に出力する（Ｓ２０７）。
【０１４０】
Ｓ２０１〜Ｓ２０２と、Ｓ２０３〜Ｓ２０４と、Ｓ２０５〜Ｓ２０６とは、図示された順序に限定されず、互いに順序を入れ替えて実施されてもよい。
【０１４１】
〔変形例〕
拡張機能実行装置１のダイレクトＵＩ部４２は、デジタルテレビ１０がテレビ画面全表示モードであっても、タッチパネル４のテレビ画面の領域上で、他のアプリケーションの起動を受け付ける構成であってもよい。
【０１４２】
例えば、ダイレクトＵＩ部４２は、図７の画面８３において、テレビ画面の右端の所定の領域を、アプリケーション起動を受け付けるための領域として定義しておく。あるいは、放送映像の視認性を妨げないように「コントローラを表示する」ボタンを画面８３に配置してもよい。そして、イベント−指示対応情報５３に、例えば、「右端の領域（または、「コントローラを表示する」ボタン）がタップされた場合には、スケジュールアプリケーション４４を起動する、混在画面表示モードに変更する」などと設定しておく。
【０１４３】
このようにすれば、ユーザは、テレビ画面上の右端の領域をタップするだけで、ホーム画面に戻らずとも簡易な操作でアプリケーションをすぐに呼び出せるようになる。上述のように、スケジュールアプリケーション４４が呼び出させる場合には、その日一日のスケジュール一覧、または、現在進行しているスケジュールの進捗情報などを、ユーザが見たい時に簡単に見られるようになる。
【０１４４】
例えば、デジタルテレビ１０が医療機関に設置されることが想定される。処置（検査）を受ける患者（被検者）が、従来のテレビ放送を視聴したり、拡張機能実行装置１が有する様々な拡張機能を利用したりするために、デジタルテレビ１０を用いることができる。例えば、患者が、長時間拘束される医療処置を受ける場合に、スケジュールアプリケーション４４が、処置の進捗（処置完了のパーセンテージ、残り所要時間など）を患者に通知できることは有意義である。
【０１４５】
≪実施形態２≫
なお、上記実施形態１では、デジタルテレビ１０のテレビ機能を実現するためのテレビ信号処理装置２に、拡張機能実行装置１を、コネクタ８を介して接続する構成を例に挙げて説明した。しかしながら、本発明はこの例に限定されるものではない。つまり、拡張機能実行装置１を接続する装置は、表示部５と一体に形成されたタッチパネル４を備え、コンテンツを処理して得られたコンテンツ画面を表示部５に出力することができる装置であればよく、テレビ信号処理装置２に限定されない。つまり、拡張機能実行装置１は、パソコンなどの情報端末、または、ＤＶＤ（Digital Versatile Disc）プレーヤおよびＢＤ（Blu-ray（登録商標） Disc）プレーヤなどの映像再生装置などにコネクタ８を介して接続されてもよい。なお、以降、上述した拡張機能実行装置１を接続する装置を総称して、「コンテンツ処理装置」と呼ぶ。また、上記実施形態１で説明したテレビ信号処理装置２は、コンテンツがテレビジョン放送である場合のコンテンツ処理装置に相当し、コンテンツ処理装置に含まれる。
【０１４６】
コンテンツ処理装置は、処理するコンテンツの種類に応じた画面を表示する。例えば、コンテンツ処理装置が映像再生装置の場合、ＤＶＤやＢＤなどから読み出した映像を表示する。また、コンテンツ処理装置が情報端末の場合、当該情報端末の制御部にて実行されたアプリケーションの実行結果を表示する。具体的には、動画を再生するアプリケーションが実行されることによって再生された動画、文書を作成するアプリケーションが実行されたことによって作成された文書の画像などが表示されてもよい。
【０１４７】
さらに、コンテンツ処理装置は、上述のように、拡張機能実行装置１を接続することにより拡張機能実行画面を表示する。つまり、コンテンツ処理装置は、取得したコンテンツを処理して得られた画面であるコンテンツ画面、および、拡張機能実行画面のうち少なくとも１つを表示部５に出力する。
【０１４８】
以上のように、コンテンツ処理装置は、テレビ機能を実現するためのテレビ信号処理装置２以外の装置であっても、拡張機能実行装置１を接続することができる。そして、拡張機能実行装置１が入力判定部４１を備えるので、拡張機能実行装置１を接続したコンテンツ処理装置は、ユーザがタッチ操作を行うことができる。
【０１４９】
また、拡張機能実行装置１は通信部３１を備えているので、ユーザは、コンテンツ処理装置を操作して、インターネットを介して外部装置と通信することが可能となる。これにより、例えばインターネットを介した通信機能を有しない映像再生装置などにおいて、インターネット上の映像コンテンツの再生が可能となる。
【０１５０】
なお、上述したコンテンツ処理装置は、テレビ信号処理装置２以外の場合でも、本発明を実施するために必須のハードウェア構成、具体的には、ブレンド部２８やミキシング部２９などを備えているものとする。
【０１５１】
≪実施形態３（ソフトウェアによる実現例）≫
拡張機能実行装置１およびテレビ信号処理装置２の制御ブロック（特に、拡張機能実行装置１の拡張機能制御部４０、および、テレビ信号処理装置２のテレビ信号処理制御部６０）は、集積回路（ＩＣチップ）等に形成された論理回路（ハードウェア）によって実現してもよいし、ＣＰＵ（Central Processing Unit）を用いてソフトウェアによって実現してもよい。
【０１５２】
後者の場合、拡張機能実行装置１およびテレビ信号処理装置２のそれぞれは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５３】
〔まとめ〕
本発明の態様１に係る放送受信装置（デジタルテレビ１０）は、上記課題を解決するために、表示部（５）と一体に形成されたタッチパネル（４）を備えた放送受信装置であって、テレビジョン放送信号を処理して上記表示部に出力するテレビ信号処理装置（２）と、上記テレビジョン放送信号を処理する機能に加えて当該放送受信装置に付加される、１または複数の拡張機能を実行する拡張機能実行装置（１）とを備え、上記テレビ信号処理装置は、上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段（出力制御部６３）を有し、上記拡張機能実行装置は、上記タッチパネルが検出する位置情報に基づいて、タッチ操作された位置が、上記テレビ画面上にあるのか、上記拡張機能実行画面上にあるのかを判定する入力判定手段（入力判定部４１）と、上記入力判定手段の判定結果に応じて、上記タッチパネルがタッチ操作されることにより入力されたタッチ操作情報を処理するＵＩ処理手段（ＵＩ処理部４８）とを有する。
【０１５４】
上記構成によれば、放送受信装置は、テレビジョン放送信号を処理するテレビ信号処理装置と、１または複数の拡張機能を実行する拡張機能実行装置とを備えている。そして、入力制御は、拡張機能実行装置によって実施され、該入力制御に基づいた出力制御は、テレビ信号処理装置によって実施される。具体的には、テレビ信号処理装置の出力制御手段が、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、拡張機能実行装置の指示にしたがって、放送受信装置の表示部に出力する。そして、この表示部と一体に形成されたタッチパネルが検出する位置情報に基づいて、拡張機能実行装置の入力判定手段が、タッチ操作された位置が、上記テレビ画面上にあるのか、上記拡張機能実行画面上にあるのかを判定する。続いて、拡張機能実行装置のＵＩ処理手段は、判定結果に応じて、上記タッチパネルがタッチ操作されることにより入力されたタッチ操作情報を処理する。
【０１５５】
これにより、テレビ画面がタッチ操作された場合には、ＵＩ処理手段は、テレビ画面に関わるＵＩ処理を、当該タッチ操作情報に基づいて実行することができる一方、拡張機能実行画面がタッチ操作された場合には、拡張機能実行画面に関わるＵＩ処理を、当該タッチ操作情報に基づいて実行することができる。
【０１５６】
このように、出力主体が異なる２種類の画面が同時に表示部に表示されても、ユーザは、どちらの画面に対しても、１つのタッチパネルを用いて、同じようにタッチ操作を行うことができる。テレビ画面用と拡張機能実行画面用とに分けて別々の入力装置を用いる必要がない。
【０１５７】
結果として、テレビ機能と拡張機能との一体感のあるインタフェースを備えた放送受信装置が実現できるという効果を奏する。
【０１５８】
その上、入力制御は、テレビ信号処理装置ではなく、拡張機能実行装置が担う構成である。このように、入力装置としてタッチパネルを想定した機能を多く持つ拡張機能実行装置が、両方の画面の入力制御をタッチパネルを介して行うことにより、ユーザは、テレビ信号処理装置が処理するテレビ画面に対しても、拡張機能実行画面と同様に、自由で直感的な操作を行えるようになる。さらに、入力制御を拡張機能実行装置が担うことにより、テレビ信号処理装置側の処理負荷の増大を抑えることが可能となる。
【０１５９】
本発明の態様２に係る放送受信装置は、態様１において、上記タッチパネルおよび上記テレビ信号処理装置が接続されたコネクタ（８）を有し、該コネクタを介して、上記拡張機能実行装置が着脱可能に構成されていることが好ましい。
【０１６０】
これにより、テレビ信号処理装置２、タッチパネル４、表示部５などが少なくとも設けられた放送受信装置の筐体から、拡張機能実行装置１だけを着脱可能に構成することができる。拡張機能の進歩の早さに伴って、拡張機能実行装置１の買い替えサイクルは、放送受信装置の筐体の買い替えサイクルよりもはるかに短くなると考えられる。そのため、拡張機能実行装置１を着脱可能な構成とし、拡張機能実行装置１を容易に入れ替えることで、放送受信装置そのものを買い替えるよりも安価に、放送受信装置の拡張機能を入れ替えることができる。
【０１６１】
本発明の態様３に係る放送受信装置では、態様１または態様２において、上記ＵＩ処理手段は、上記テレビ信号処理装置によって生成された上記テレビ画面を上記タッチパネルを介して操作するためのユーザインターフェース機能を実現するテレビＵＩ手段（ダイレクトＵＩ部４２）と、上記拡張機能を実現する１または複数の拡張機能手段（拡張機能部４７、コントローラアプリケーション４３、スケジュールアプリケーション４４）とを含み、上記入力判定手段は、上記テレビ画面がタッチ操作されたと判定した場合には、上記タッチ操作情報を上記テレビＵＩ手段に伝達し、上記拡張機能実行画面がタッチ操作されたと判定した場合には、上記タッチ操作情報を、当該拡張機能実行画面を生成した拡張機能手段に伝達してもよい。
【０１６２】
これにより、テレビ画面がタッチ操作された場合には、タッチ操作情報は、テレビＵＩ手段によって処理され、拡張機能実行画面がタッチ操作された場合には、タッチ操作情報は、拡張機能実行手段によって処理されることが可能となる。このように、タッチ位置に応じて、当該画面の処理に関わる各部に正しくタッチ操作情報が伝達されるため、ユーザは、その画面がいずれの装置（拡張機能実行装置またはテレビ信号処理装置）によって生成されているのかを意識して使い分けなどを行わなくても、１つのタッチパネルに対して同じようにタッチ操作を行うだけで済む。
【０１６３】
本発明の態様４に係る放送受信装置では、態様３において、上記ＵＩ処理手段は、上記テレビＵＩ手段または上記拡張機能手段が上記タッチ操作情報に応じてそれぞれの機能を実行した結果を、上記出力制御手段の出力に反映させるように、上記テレビ信号処理装置に指示する指示手段（表示指示部４６）をさらに含むことが好ましい。
【０１６４】
これにより、いずれの画面がタッチ操作された場合でも、そのことに応じた出力内容が、表示部５に反映される。
【０１６５】
本発明の態様５に係る放送受信装置では、態様４において、上記テレビＵＩ手段または上記拡張機能手段は、上記タッチ操作情報に応じて、上記テレビジョン放送信号の処理に関してテレビ信号処理装置に実行させる動作を決定し、上記拡張機能実行装置は、さらに、上記動作の実行を上記テレビ信号処理装置に命じるためのコマンドを生成するコマンド生成手段（コマンド生成部４５）を有し、上記指示手段は、上記コマンド生成手段によって生成されたコマンドを上記テレビ信号処理装置に伝達してもよい。
【０１６６】
これにより、ユーザは、拡張機能実行画面をタッチ操作するのと同様に、テレビ画面をタッチ操作して、テレビ信号処理装置に対して様々な動作を指示することができるため、利便性が向上する。
【０１６７】
本発明の態様６に係る放送受信装置では、態様４または５において、上記テレビＵＩ手段または上記拡張機能手段は、上記タッチ操作情報に応じて、上記テレビ画面および上記拡張機能実行画面のレイアウトを示す表示モードの変更を決定し、上記指示手段は、上記出力制御手段に対して、決定された表示モードへの変更を指示し、上記出力制御手段は、指示された表示モードにしたがって、上記テレビ画面および上記拡張機能実行画面を合成した画面、または、いずれか一方の画面を上記表示部に出力してもよい。
【０１６８】
これにより、ユーザは、拡張機能実行画面またはテレビ画面をタッチ操作するだけで、２つの画面のレイアウトを簡単に変更することが可能となるため、利便性が向上する。
【０１６９】
本発明の態様７に係る放送受信装置では、態様４から６において、上記拡張機能手段は、上記タッチ操作情報に応じて拡張機能を実行した結果を反映した拡張機能実行画面を新たに生成し、上記指示手段は、生成された上記拡張機能実行画面を上記出力制御手段に供給し、上記出力制御手段は、上記テレビ画面および上記拡張機能実行画面のうち、少なくとも上記拡張機能実行画面を上記表示部に出力してもよい。
【０１７０】
これにより、ユーザは、放送受信装置における拡張機能を、スマートフォンまたはタブレットなどと同様に、タッチパネルを操作することによって利用することが可能となる。結果として、スマートフォンまたはタブレットなどと同等の操作性を備えた放送受信装置を実現することが可能となる。
【０１７１】
本発明の態様８に係る放送受信装置では、態様６において、上記テレビＵＩ手段は、上記テレビ信号処理装置が、上記テレビ画面と上記拡張機能実行画面とを混在表示する表示モードにある状態で、上記テレビ画面に対してタッチ操作が行われた場合には、上記テレビ画面を全画面表示する表示モードへの変更を決定してもよい。
【０１７２】
上記構成によれば、混在表示する表示モードからテレビ画面を全画面表示する表示モードへ変更する指示が、上記指示手段から、テレビ信号処理装置の出力制御手段に伝達される。
【０１７３】
これにより、ユーザは、拡張機能実行画面およびテレビ画面が両方表示されている場合に、テレビ画面をタッチ操作するだけで、簡単に、テレビ画面を全表示させることが可能となる。拡張機能実行画面に表示されている情報が不要になり、テレビ画面に表示されているコンテンツをより大きい画面で視聴したいという場合に便利である。
【０１７４】
本発明の態様９に係る放送受信装置では、態様６または８において、上記テレビＵＩ手段は、上記テレビ信号処理装置が、上記テレビ画面を全画面表示する表示モードにある状態で、上記テレビ画面に対してタッチ操作が行われた場合には、上記テレビ画面と上記拡張機能実行画面とを混在表示する表示モードへの変更を決定してもよい。
【０１７５】
上記構成によれば、テレビ画面全表示モードから両画面を混在表示する表示モードへ変更する指示が、上記指示手段から、テレビ信号処理装置の出力制御手段に伝達される。
【０１７６】
これにより、ユーザは、テレビ画面が全画面表示されている場合に、テレビ画面をタッチ操作するだけで、簡単に、拡張機能実行画面を併せて表示させることが可能となる。テレビ画面のコンテンツを視聴しつつも、拡張機能実行画面に表示されている情報を見たいという場合に便利である。
【０１７７】
本発明の態様１０に係る放送受信装置では、態様５において、上記テレビＵＩ手段は、上記テレビ画面に対して、所定の第１のタッチ操作または所定の第２のタッチ操作が行われた場合には、上記テレビジョン放送信号を取得するために選局するチャンネルを、昇順または降順で切り替える動作を上記テレビ信号処理装置に実行させることを決定してもよい。
【０１７８】
上記構成によれば、テレビ画面に対して、第１のタッチ操作または第２のタッチ操作が行われた場合には、それぞれのタッチ操作に対応して、チャンネルを昇順で切り替える動作または降順で切り替える動作を命じるコマンドが、コマンド生成手段によって生成され、指示手段によってテレビ信号処理装置に伝達される。
【０１７９】
これにより、ユーザは、チャンネルを切り替える指示を、スマートフォンまたはタブレットなどと同様に直感的なタッチ操作で入力することが可能なり、利便性が向上する。
【０１８０】
本発明の態様１１に係る拡張機能実行装置は、上記課題を解決するために、表示部と一体に形成されたタッチパネルを備えた放送受信装置に、テレビジョン放送信号を処理する機能に加えて当該放送受信装置に付加される、１または複数の拡張機能を提供する拡張機能実行装置であって、上記放送受信装置は、上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力するものであり、上記拡張機能実行装置は、上記タッチパネルが検出する位置情報に基づいて、タッチ操作された位置が、上記テレビ画面上にあるのか、上記拡張機能実行画面上にあるのかを判定する入力判定手段と、上記入力判定手段の判定結果に応じて、上記タッチパネルがタッチ操作されることにより入力されたタッチ操作情報を処理するＵＩ処理手段とを有する。
【０１８１】
拡張機能実行装置は、上記放送受信装置と通信可能なように接続されることにより、放送受信装置が拡張機能を実行することを可能にする装置として、放送受信装置の一部を構成する。また、当該放送受信装置は、態様１の放送受信装置として、テレビ機能と拡張機能との一体感のあるインタフェースを実現するという効果を奏する。
【０１８２】
本発明の態様１２に係る放送受信装置は、上記課題を解決するために、表示部と一体に形成されたタッチパネルを備えた放送受信装置であって、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置を、上記タッチパネルおよび上記テレビ信号処理装置に接続するコネクタとを備え、上記拡張機能実行装置は、上記タッチパネルがタッチ操作されることにより入力されたタッチ操作情報を処理するとともに、該処理の結果を反映するように上記テレビ信号処理装置に指示するものであり、上記テレビ信号処理装置は、上記コネクタを介して伝達された上記拡張機能実行装置からの指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有する。
【０１８３】
放送受信装置は、上記コネクタを介して拡張機能実行装置と通信可能に接続することにより、拡張機能を実行することが可能な、拡張機能実行装置を備えた放送受信装置として機能する。また、当該放送受信装置は、上記コネクタを介して拡張機能実行装置と通信可能に接続することにより、態様１の放送受信装置として、テレビ機能と拡張機能との一体感のあるインタフェースを実現するという効果を奏する。
【０１８４】
本発明の態様１３に係る放送受信装置の制御方法は、上記課題を解決するために、表示部と一体に形成されたタッチパネルを備えた放送受信装置の制御方法であって、上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、上記拡張機能実行装置が、上記タッチパネルが検出する位置情報に基づいて、タッチ操作された位置が、上記テレビ信号処理装置が上記テレビジョン放送信号を処理して得た映像信号を含むテレビ画面上にあるのか、上記拡張機能実行装置が拡張機能を実行した結果として出力した拡張機能映像信号を含む拡張機能実行画面上にあるのかを判定する入力判定ステップと、上記拡張機能実行装置が、上記入力判定ステップでの判定結果に応じて、上記タッチパネルがタッチ操作されることにより入力されたタッチ操作情報を処理するＵＩ処理ステップと、上記テレビ信号処理装置が、上記ＵＩ処理ステップの実行結果にしたがって、上記テレビ画面、および、上記拡張機能実行画面の少なくともいずれか１つを、上記表示部に出力する出力制御ステップとを含む。
【０１８５】
これにより、テレビ機能と拡張機能との一体感のあるインタフェースを、放送受信装置において実現できるという効果を奏する。
【０１８６】
本発明の態様１４に係る情報処理装置（デジタルテレビ１０）は、コンテンツを処理して得たコンテンツ画面を表示する表示部（５）と一体に形成されたタッチパネル（４）を備えた情報処理装置であって、上記コンテンツを処理する機能に加えて当該情報処理装置に付加される、１または複数の拡張機能を実行する拡張機能実行装置（１）と、を備え、上記コンテンツ画面、および、上記拡張機能実行装置が拡張機能を実行した結果として出力した拡張機能実行画面の少なくともいずれか１つを、上記表示部に出力する出力制御手段（出力制御部６３）を有する。
【０１８７】
上記構成によれば、情報処理装置は１または複数の拡張機能を実行する拡張機能実行装置を備えている。そして、上記コンテンツを処理して得たコンテンツ画面、および、上記拡張機能実行装置が拡張機能を実行した結果として出力した拡張機能映像信号を含む拡張機能実行画面の少なくともいずれか１つを、情報処理装置の表示部に出力する。
【０１８８】
これにより、出力主体が異なる２種類の画面を同時に表示部に表示することが可能となるので、コンテンツを処理する機能と拡張機能との一体感のあるインタフェースを備えた情報処理装置が実現できる。
【０１８９】
本発明の態様１５に係る情報処理装置は、上記態様１４において、上記拡張機能実行装置は、上記タッチパネルがタッチ操作されることにより入力されたタッチ操作情報を処理するＵＩ処理手段を有してもよい。
【０１９０】
上記構成によれば、タッチパネルがタッチ操作されることにより入力されたタッチ操作情報を処理するので、拡張機能実行装置によって、出力された画面に対するタッチ操作による入力が可能となる。
【０１９１】
本発明の態様１６に係る情報処理装置は、上記態様１５において、上記ＵＩ処理手段は、上記タッチパネルがタッチ操作された位置が、上記コンテンツ画面上にあるのか、上記拡張機能実行画面上にあるのかに応じて、上記タッチ操作情報を処理してもよい。
【０１９２】
上記構成によれば、ユーザがタッチパネルをタッチした位置が、コンテンツ画面上にあるのか、拡張機能実行画面上にあるのかに基づいて、タッチ操作情報を処理する。
【０１９３】
これにより、コンテンツ画面がタッチ操作された場合には、コンテンツ画面に関わる処理を、当該タッチ操作情報に基づいて実行することができる一方、拡張機能実行画面がタッチ操作された場合には、拡張機能実行画面に関わる処理を、当該タッチ操作情報に基づいて実行することができる。よって、出力主体が異なる２種類の画面が同時に表示部に表示されても、ユーザは、どちらの画面に対しても、１つのタッチパネルを用いて、同じようにタッチ操作を行うことができる。
【０１９４】
本発明の態様１７に係る情報処理装置は、上記態様１４から１６のいずれかにおいて、上記拡張機能実行装置が着脱可能に構成されていてもよい。
【０１９５】
上記構成によれば、タッチパネル、表示部などが少なくとも設けられた情報処理装置の筐体から、拡張機能実行装置だけを着脱可能に構成することができる。
【０１９６】
拡張機能の進歩の早さに伴って、拡張機能実行装置の買い替えサイクルは、情報処理装置の筐体の買い替えサイクルよりもはるかに短くなると考えられる。よって、拡張機能実行装置を着脱可能な構成とし、拡張機能実行装置を容易に入れ替えることで、情報処理装置そのものを買い替えるよりも安価に、情報処理装置の拡張機能を入れ替えることができる。
【０１９７】
本発明の態様１８に係る情報処理装置は、上記態様１４から１７のいずれかにおいて、上記コンテンツはテレビジョン放送であってもよい。
【０１９８】
上記構成によれば、情報処理装置はテレビジョン放送を出力するいわゆるテレビ（放送受信装置）であるので、テレビ機能と拡張機能との一体感のあるインタフェースを備えた情報処理装置が実現できる。
【０１９９】
本発明の態様１９に係る拡張機能実行装置は、１または複数の拡張機能を実行する拡張機能実行装置であって、コンテンツを処理して得たコンテンツ画面を表示する表示部と一体に形成されたタッチパネルを備えた情報処理装置に、上記コンテンツを処理する機能に加えて上記拡張機能を付加し、上記情報処理装置に、上記拡張機能を実行した結果としての拡張機能実行画面を出力するものであり、上記タッチパネルがタッチ操作されることにより入力されたタッチ操作情報を処理するＵＩ処理手段を有する。
【０２００】
上記構成によれば、タッチパネルがタッチ操作されることにより入力されたタッチ操作情報を処理するので、情報処理装置において出力された画面に対するタッチ操作による入力が可能となる。
【０２０１】
本発明の態様２０に係る拡張機能実行装置は、上記態様１９において、上記ＵＩ処理手段は、上記タッチパネルがタッチ操作された位置が、上記コンテンツ画面上にあるのか、上記拡張機能実行画面上にあるのかに応じて、上記タッチ操作情報を処理してもよい。
【０２０２】
上記構成によれば、ユーザがタッチパネルをタッチした位置が、コンテンツ画面上にあるのか、拡張機能実行画面上にあるのかに基づいて、タッチ操作情報を処理する。
【０２０３】
これにより、コンテンツ画面がタッチ操作された場合には、コンテンツ画面に関わる処理を、当該タッチ操作情報に基づいて実行することができる一方、拡張機能実行画面がタッチ操作された場合には、拡張機能実行画面に関わる処理を、当該タッチ操作情報に基づいて実行することができる。よって、出力主体が異なる２種類の画面が同時に表示部に表示されても、ユーザは、どちらの画面に対しても、１つのタッチパネルを用いて、同じようにタッチ操作を行うことができる。
【０２０４】
なお、上記放送受信装置、情報処理装置、拡張機能実行装置、および、テレビ信号処理装置は、コンピュータによって実現してもよく、この場合には、コンピュータを上記各手段として動作させることにより上記放送受信装置、拡張機能実行装置、または、テレビ信号処理装置をコンピュータにて実現させる、上記放送受信装置、拡張機能実行装置、または、テレビ信号処理装置の制御プログラム、およびそれを記録したコンピュータ読み取り可能な記録媒体も、本発明の範疇に入る。
【０２０５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２０６】
本発明の放送受信装置は、コンテンツを処理する機能に加えて、拡張機能を有する各種情報処理装置、例えば、テレビジョン放送信号を受信して処理する機能（テレビ機能）に加えて、拡張機能を有するスマートテレビ、あるいは、電子黒板、タブレット端末、デスクトップパソコン、ノートパソコン、ゲーム機などに適用することが可能である。
【符号の説明】
【０２０７】
１  拡張機能実行装置
２  テレビ信号処理装置
３  チューナ部
４  タッチパネル
５  表示部
６  ＤＡＣ
７  スピーカ
８  コネクタ
１０  デジタルテレビ（放送受信装置、情報処理装置）
２６  スケーリング部（出力部）
２７  スケーリング部（出力部）
２８  ブレンド部（出力部）
３１  通信部
４０  拡張機能制御部
４１  入力判定部（入力判定手段）
４２  ダイレクトＵＩ部（テレビＵＩ手段）
４３  コントローラアプリケーション（拡張機能手段）
４４  スケジュールアプリケーション（拡張機能手段）
４５  コマンド生成部（コマンド生成手段）
４６  表示指示部（指示手段）
４７  拡張機能部（拡張機能手段）
４８  ＵＩ処理部（ＵＩ処理手段）
５０  記憶部
６０  テレビ信号処理制御部
６１  指示解析部
６２  コマンド実行部
６３  出力制御部（出力制御手段）
７０  記憶部
【図１】
2015027081.tif 000003
【図２】
2015027081.tif 000004
【図３】
2015027081.tif 000005
【図４】
2015027081.tif 000006
【図５】
2015027081.tif 000007
【図６】
2015027081.tif 000008
【図７】
2015027081.tif 000009
【図８】
2015027081.tif 000010
【図９】
2015027081.tif 000011
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
コンテンツを処理して得たコンテンツ画面を表示する表示部と一体に形成されたタッチパネルを備えた情報処理装置であって、
上記コンテンツを処理する機能に加えて当該情報処理装置に付加される、１または複数の拡張機能を実行する拡張機能実行装置と、を備え、
上記コンテンツ画面、および、上記拡張機能実行装置が拡張機能を実行した結果として出力した拡張機能実行画面の少なくともいずれか１つを、上記表示部に出力する出力制御手段を有し、
上記拡張機能実行装置は、上記タッチパネルがタッチ操作されることにより入力されたタッチ操作情報を処理するＵＩ処理手段を有することを特徴とする情報処理装置。
【請求項２】
上記ＵＩ処理手段は、
上記タッチパネルがタッチ操作された位置が、上記コンテンツ画面上にあるのか、上記拡張機能実行画面上にあるのかに応じて、上記タッチ操作情報を処理することを特徴とする請求項１に記載の情報処理装置。
【請求項３】
上記拡張機能実行装置が着脱可能に構成されていることを特徴とする請求項１または２に記載の情報処理装置。
【請求項４】
上記コンテンツはテレビジョン放送であることを特徴とする請求項１から３のいずれか１項に記載の情報処理装置。
【請求項５】
１または複数の拡張機能を実行する拡張機能実行装置であって、
コンテンツを処理して得たコンテンツ画面を表示する表示部と一体に形成されたタッチパネルを備えた情報処理装置に、上記コンテンツを処理する機能に加えて上記拡張機能を付加し、上記情報処理装置に、上記拡張機能を実行した結果としての拡張機能実行画面を出力するものであり、
上記タッチパネルがタッチ操作されることにより入力されたタッチ操作情報を処理するＵＩ処理手段を有することを特徴とする拡張機能実行装置。
【請求項６】
上記ＵＩ処理手段は、
上記タッチパネルがタッチ操作された位置が、上記コンテンツ画面上にあるのか、上記拡張機能実行画面上にあるのかに応じて、上記タッチ操作情報を処理することを特徴とする請求項５に記載の拡張機能実行装置。
【請求項７】
表示部と一体に形成されたタッチパネルを備えた放送受信装置であって、
テレビジョン放送信号を処理して上記表示部に出力するテレビ信号処理装置と、
上記テレビジョン放送信号を処理する機能に加えて当該放送受信装置に付加される、１または複数の拡張機能を実行する拡張機能実行装置とを備え、
上記テレビ信号処理装置は、
上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有し、
上記拡張機能実行装置は、
上記タッチパネルが検出する位置情報に基づいて、タッチ操作された位置が、上記テレビ画面上にあるのか、上記拡張機能実行画面上にあるのかを判定する入力判定手段と、    上記入力判定手段の判定結果に応じて、上記タッチパネルがタッチ操作されることにより入力されたタッチ操作情報を処理するＵＩ処理手段とを有することを特徴とする放送受信装置。
【請求項８】
上記タッチパネルおよび上記テレビ信号処理装置が接続されたコネクタを有し、該コネクタを介して、上記拡張機能実行装置が着脱可能に構成されていることを特徴とする請求項７に記載の放送受信装置。
【請求項９】
表示部と一体に形成されたタッチパネルを備えた放送受信装置に、テレビジョン放送信号を処理する機能に加えて当該放送受信装置に付加される、１または複数の拡張機能を提供する拡張機能実行装置であって、
上記放送受信装置は、上記拡張機能実行装置の指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力するものであり、
上記拡張機能実行装置は、
上記タッチパネルが検出する位置情報に基づいて、タッチ操作された位置が、上記テレビ画面上にあるのか、上記拡張機能実行画面上にあるのかを判定する入力判定手段と、
上記入力判定手段の判定結果に応じて、上記タッチパネルがタッチ操作されることにより入力されたタッチ操作情報を処理するＵＩ処理手段とを有することを特徴とする拡張機能実行装置。
【請求項１０】
表示部と一体に形成されたタッチパネルを備えた放送受信装置であって、
テレビジョン放送信号を処理して上記表示部に出力するテレビ信号処理装置と、
上記テレビジョン放送信号を処理する機能に加えて当該放送受信装置に付加される、１または複数の拡張機能を実行する拡張機能実行装置を、上記タッチパネルおよび上記テレビ信号処理装置に接続するコネクタとを備え、
上記拡張機能実行装置は、上記タッチパネルがタッチ操作されることにより入力されたタッチ操作情報を処理するとともに、該処理の結果を反映するように上記テレビ信号処理装置に指示するものであり、
上記テレビ信号処理装置は、
上記コネクタを介して伝達された上記拡張機能実行装置からの指示にしたがって、上記テレビジョン放送信号を処理して得られた映像信号を含むテレビ画面、および、上記拡張機能実行装置が拡張機能を実行した結果として出力した拡張機能映像信号を含む拡張機能実行画面の少なくともいずれか１つを、上記表示部に出力する出力制御手段を有することを特徴とする放送受信装置。
【請求項１１】
表示部と一体に形成されたタッチパネルを備えた放送受信装置の制御方法であって、
上記放送受信装置は、テレビジョン放送信号を処理して上記表示部に出力するテレビ信号処理装置と、上記テレビジョン放送信号を処理する機能に加えて当該放送受信装置に付加される、１または複数の拡張機能を実行する拡張機能実行装置とを備え、
上記拡張機能実行装置が、上記タッチパネルが検出する位置情報に基づいて、タッチ操作された位置が、上記テレビ信号処理装置が上記テレビジョン放送信号を処理して得た映像信号を含むテレビ画面上にあるのか、上記拡張機能実行装置が拡張機能を実行した結果として出力した拡張機能映像信号を含む拡張機能実行画面上にあるのかを判定する入力判定ステップと、
上記拡張機能実行装置が、上記入力判定ステップでの判定結果に応じて、上記タッチパネルがタッチ操作されることにより入力されたタッチ操作情報を処理するＵＩ処理ステップと、
上記テレビ信号処理装置が、上記ＵＩ処理ステップの実行結果にしたがって、上記テレビ画面、および、上記拡張機能実行画面の少なくともいずれか１つを、上記表示部に出力する出力制御ステップとを含むことを特徴とする放送受信装置の制御方法。